(57)【要約】      （修正有）【課題】紙幣が第１の方向（例えば、紙幣の長手方向）に沿って搬送される第１紙幣処理装置と、紙幣が第２の方向（例えば、紙幣の短手方向）に沿って搬送される第２紙幣処理装置との間で、操作者の手に触れることなく紙幣の受け渡しを行うことができ、このため操作者にとっての利便性を向上させるとともに防盗性を向上させることができる紙幣収納カセット、紙幣処理システムおよび紙幣処理方法を提供する。【解決手段】紙幣収納カセット３０は、収納部の外部から内部へ紙幣を１枚ずつ送って当該収納部に紙幣を収納させるとともに収納部に収納された紙幣を１枚ずつ当該収納部の外部に繰り出す、複数の収納繰出機構（例えば、第１収納繰出機構３２および第２収納繰出機構４２）を備えており、各々の収納繰出機構による紙幣の送り方向が互いに異なるようになっている。【選択図】図７
2016162434.tif 000002
【特許請求の範囲】
【請求項１】
紙幣を収納する収納部と、
前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構と、
を備え、
各々の前記収納繰出機構による紙幣の送り方向が互いに異なる、紙幣収納カセット。
【請求項２】
複数の前記収納繰出機構は、第１収納繰出機構と、前記第１収納繰出機構による紙幣の送り方向に対して略直交する方向に紙幣を送る第２収納繰出機構とを有している、請求項１記載の紙幣収納カセット。
【請求項３】
前記収納部には紙幣が積層状態で収納されるようになっており、
前記第１収納繰出機構および前記第２収納繰出機構の各々は、前記収納部における紙幣の集積方向において反対側の箇所に設けられている、請求項２記載の紙幣収納カセット。
【請求項４】
前記第１収納繰出機構が使用される場合と前記第２収納繰出機構が使用される場合とで前記収納部における紙幣の集積方向が反転する、請求項３記載の紙幣収納カセット。
【請求項５】
前記第１収納繰出機構と前記第２収納繰出機構との間には、紙幣が載置される載置部が設けられており、
前記第１収納繰出機構と前記載置部との間に第１収納繰出空間が形成されるとともに、前記第２収納繰出機構と前記載置部との間に第２収納繰出空間が形成される、請求項２乃至４のいずれか一項に記載の紙幣収納カセット。
【請求項６】
前記載置部は、第１載置部分および第２載置部分を有しており、前記第１収納繰出機構と前記載置部の前記第１載置部分との間で紙幣の収納および繰り出しが可能となっているとともに、前記第２収納繰出機構と前記載置部の前記第２載置部分との間で紙幣の収納および繰り出しが可能となっている、請求項５記載の紙幣収納カセット。
【請求項７】
前記第１載置部分および前記第２載置部分のうち一方の載置部分は紙幣が積層状態で載置される載置板として機能するとともに他方の載置部分は前記収納部の外部から内部へ紙幣が送られる際に当該紙幣を案内する案内板として機能するようになっており、前記載置板および前記案内板との間に紙幣の収納空間が形成されており、前記収納部における紙幣の集積方向が反転させられたときに、前記載置板および前記案内板の機能が互いに入れ替わるようになっている、請求項６記載の紙幣収納カセット。
【請求項８】
前記第１収納繰出機構および前記第２収納繰出機構のうち一方の収納繰出機構により前記収納部に収納された紙幣を他方の収納繰出機構により前記収納部の外部に繰り出すことができるようになっている、請求項２乃至７のいずれか一項に記載の紙幣収納カセット。
【請求項９】
前記紙幣収納カセットを把持するための２つの把持部が前記収納部における紙幣の集積方向において反対側の箇所にそれぞれ設けられている、請求項１乃至８のいずれか一項に記載の紙幣収納カセット。
【請求項１０】
外部装置から電力を受けるための２つのコネクタが前記収納部における紙幣の集積方向において反対側の箇所にそれぞれ設けられている、請求項１乃至９のいずれか一項に記載の紙幣収納カセット。
【請求項１１】
前記第１収納繰出機構および前記第２収納繰出機構において、前記収納部に収納された紙幣を１枚ずつ当該収納部の外部に繰り出すための繰出部材の構成が互いに異なっている、請求項２乃至８のいずれか一項に記載の紙幣収納カセット。
【請求項１２】
前記第１収納繰出機構および前記第２収納繰出機構のうち紙幣をその短手方向に沿って送る前記収納繰出機構には前記繰出部材として繰出ローラが設けられており、前記第１収納繰出機構および前記第２収納繰出機構のうち紙幣をその長手方向に沿って送る前記収納繰出機構には前記繰出部材として繰出ベルトが設けられている、請求項１１記載の紙幣収納カセット。
【請求項１３】
前記収納部に収納される紙幣の順番と当該紙幣の記番号とを紐付けて記憶する記憶部を更に備えた、請求項１乃至１２のいずれか一項に記載の紙幣収納カセット。
【請求項１４】
紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構と、前記収納部に収納される紙幣の順番と当該紙幣の記番号とを紐付けて記憶する記憶部とを有しており、各々の前記収納繰出機構による紙幣の送り方向が互いに異なる紙幣収納カセットと、
前記紙幣収納カセットが着脱自在に装着され、本体部分から前記紙幣収納カセットに紙幣を送って当該紙幣収納カセットの前記収納部に紙幣を収納させるとともに前記紙幣収納カセットの前記収納部から前記収納繰出機構により繰り出された紙幣が前記本体部分に送られる、紙幣処理装置と、
を備え、
前記紙幣処理装置は、当該紙幣処理装置に装着された前記紙幣収納カセットの前記記憶部に記憶された情報を読み取る読取部と、前記読取部により読み取られた情報に基づいて前記紙幣収納カセットから前記紙幣処理装置の本体部分に送られた紙幣の記番号を管理する制御部とを有しており、
前記制御部は、前記紙幣処理装置に装着された前記紙幣収納カセットにおける使用される前記収納繰出機構の種類に基づいて、前記紙幣収納カセットから前記紙幣処理装置の本体部分に送られた紙幣の順番を判定する、紙幣処理システム。
【請求項１５】
紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構とを有しており、各々の前記収納繰出機構による紙幣の送り方向が互いに異なる紙幣収納カセットと、
前記紙幣収納カセットが着脱自在に装着され、本体部分から前記紙幣収納カセットに紙幣を送って当該紙幣収納カセットの前記収納部に紙幣を収納させるとともに前記紙幣収納カセットの前記収納部から前記収納繰出機構により繰り出された紙幣が前記本体部分に送られる、複数の紙幣処理装置と、
を備え、
各々の前記紙幣処理装置における紙幣の搬送方向が互いに異なるようになっており、
前記紙幣収納カセットがある前記紙幣処理装置に装着されたときには当該紙幣収納カセットにおいて第１の送り方向に沿って紙幣が送られるとともに、前記紙幣収納カセットが別の前記紙幣処理装置に装着されたときには当該紙幣収納カセットにおいて前記第１の送り方向とは異なる第２の送り方向に沿って紙幣が送られるようになっている、紙幣処理システム。
【請求項１６】
複数の前記紙幣処理装置は、第１紙幣処理装置と、前記第１紙幣処理装置による紙幣の搬送方向に対して略直交する方向に紙幣を搬送する第２紙幣処理装置とを有しており、
前記紙幣収納カセットにおける複数の前記収納繰出機構は、第１収納繰出機構と、前記第１収納繰出機構による紙幣の送り方向に対して略直交する方向に紙幣を送る第２収納繰出機構とを有している、請求項１５記載の紙幣処理システム。
【請求項１７】
紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構とを有しており、各々の前記収納繰出機構による紙幣の送り方向が互いに異なる紙幣収納カセットを第１紙幣処理装置に装着し、前記第１紙幣処理装置の本体部分から第１の送り方向に沿って前記紙幣収納カセットに紙幣を送って当該紙幣収納カセットの前記収納部に紙幣を収納させる工程と、
前記紙幣収納カセットを前記第１紙幣処理装置とは異なる第２紙幣処理装置に装着し、前記紙幣収納カセットの前記収納部に収納された紙幣を１枚ずつ前記第１の送り方向とは異なる第２の送り方向に沿って当該収納部の外部に繰り出して前記第２紙幣処理装置の本体部分に送る工程と、
を備えた、紙幣処理方法。
【発明の詳細な説明】
【技術分野】
【０００１】
本発明は、紙幣を収納する紙幣収納カセット、紙幣収納カセットおよび当該紙幣収納カセットが着脱自在に装着される紙幣処理装置を備えた紙幣処理システム、ならびにこのような紙幣収納カセットを用いた紙幣処理方法に関する。
【背景技術】
【０００２】
従来から店舗のチェックアウトカウンターにおいて店員が顧客との現金の受け渡し業務を行うために現金精算装置が使用されている。このような現金精算装置は、投入された貨幣を識別・計数して金額を算出した上で収納するとともに、収納されている貨幣を釣銭として払い出す機能を有している。一方、店舗のバックオフィスにおいては、上記の現金精算装置に釣銭準備金としての貨幣を装填したり、現金精算装置から売上金としての貨幣を回収したりするために現金出納装置が設置されている。現金出納装置は、現金精算装置から回収された貨幣を収納したり、現金精算装置へ装填する貨幣を投出したりする機能を有している。このような現金精算装置や現金出納装置として、例えば特許文献１に開示されるものが従来から知られている。
【０００３】
特許文献１に開示されるような従来技術の紙幣処理システムでは、店舗のチェックアウトカウンターに設けられた現金精算装置と、バックオフィスに設置された現金出納装置との間での紙幣の受け渡しを行うために現金搬送カセットが用いられている。このような現金搬送カセットを用いることにより、現金精算装置と現金出納装置との間で紙幣の受け渡しを行う際に紙幣が操作者の手に触れることがないため、このような紙幣の受け渡しが行われる際に紙幣が盗難されてしまう等のトラブルが発生することを防止することができるようになる。
【先行技術文献】
【特許文献】
【０００４】
【特許文献１】特開２０１３−８２０９号公報
【発明の概要】
【発明が解決しようとする課題】
【０００５】
特許文献１に開示されるような従来技術の紙幣処理システムでは、現金精算装置および現金出納装置の各々において紙幣はその長手方向に沿って搬送されるようになっている。このことにより、現金精算装置および現金出納装置の各々において筐体の幅を小さくして省スペース化を図ることができるとともにこれらの現金精算装置および現金出納装置に設置される識別部を安価なものとすることができるようになる。
【０００６】
これに対し、近年ではバックオフィスに設置される現金出納装置において、紙幣をその長手方向に沿って搬送するようなタイプのものでは紙幣の収納量が少なくなってしまうため、紙幣の収納量を増やすために紙幣をその短手方向に搬送するものが用いられる傾向がある。しかしながら、店舗のチェックアウトカウンターに設けられた現金精算装置において紙幣がその長手方向に沿って搬送され、一方バックオフィスに設置される現金出納装置において紙幣がその短手方向に沿って搬送される場合には、現金精算装置から回収された紙幣が収納された現金搬送カセットから操作者が紙幣を一旦取り出して、向きを変えてから現金出納装置に投入する必要があり、操作者の手に触れることなく現金精算装置と現金出納装置との間で紙幣の受け渡しを行うことができないという問題があった。
【０００７】
本発明は、このような点を考慮してなされたものであり、紙幣が第１の方向（例えば、紙幣の長手方向）に沿って搬送される第１紙幣処理装置と、紙幣が第２の方向（例えば、紙幣の短手方向）に沿って搬送される第２紙幣処理装置との間で、操作者の手に触れることなく紙幣の受け渡しを行うことができ、このため操作者にとっての利便性を向上させるとともに防盗性を向上させることができる紙幣収納カセット、紙幣処理システムおよび紙幣処理方法を提供することを目的とする。
【課題を解決するための手段】
【０００８】
本発明の紙幣収納カセットは、紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構と、を備え、各々の前記収納繰出機構による紙幣の送り方向が互いに異なることを特徴とする。
【０００９】
このような紙幣収納カセットによれば、紙幣が第１の方向（例えば、紙幣の長手方向）に沿って搬送される第１紙幣処理装置と、紙幣が第２の方向（例えば、紙幣の短手方向）に沿って搬送される第２紙幣処理装置との間で、操作者の手に触れることなく紙幣の受け渡しを行うことができ、このため操作者にとっての利便性を向上させるとともに防盗性を向上させることができる。
【００１０】
本発明の紙幣収納カセットにおいては、複数の前記収納繰出機構は、第１収納繰出機構と、前記第１収納繰出機構による紙幣の送り方向に対して略直交する方向に紙幣を送る第２収納繰出機構とを有していてもよい。
【００１１】
この場合、前記収納部には紙幣が積層状態で収納されるようになっており、前記第１収納繰出機構および前記第２収納繰出機構の各々は、前記収納部における紙幣の集積方向において反対側の箇所に設けられていてもよい。
【００１２】
また、前記第１収納繰出機構が使用される場合と前記第２収納繰出機構が使用される場合とで前記収納部における紙幣の集積方向が反転するようになっていてもよい。
【００１３】
また、前記第１収納繰出機構と前記第２収納繰出機構との間には、紙幣が載置される載置部が設けられており、前記第１収納繰出機構と前記載置部との間に第１収納繰出空間が形成されるとともに、前記第２収納繰出機構と前記載置部との間に第２収納繰出空間が形成されるようになっていてもよい。
【００１４】
この場合、前記載置部は、第１載置部分および第２載置部分を有しており、前記第１収納繰出機構と前記載置部の前記第１載置部分との間で紙幣の収納および繰り出しが可能となっているとともに、前記第２収納繰出機構と前記載置部の前記第２載置部分との間で紙幣の収納および繰り出しが可能となっていてもよい。
【００１５】
また、前記第１載置部分および前記第２載置部分のうち一方の載置部分は紙幣が積層状態で載置される載置板として機能するとともに他方の載置部分は前記収納部の外部から内部へ紙幣が送られる際に当該紙幣を案内する案内板として機能するようになっており、前記載置板および前記案内板との間に紙幣の収納空間が形成されており、前記収納部における紙幣の集積方向が反転させられたときに、前記載置板および前記案内板の機能が互いに入れ替わるようになっていてもよい。
【００１６】
また、本発明の紙幣収納カセットにおいては、前記第１収納繰出機構および前記第２収納繰出機構のうち一方の収納繰出機構により前記収納部に収納された紙幣を他方の収納繰出機構により前記収納部の外部に繰り出すことができるようになっていてもよい。
【００１７】
また、前記紙幣収納カセットを把持するための２つの把持部が前記収納部における紙幣の集積方向において反対側の箇所にそれぞれ設けられていてもよい。
【００１８】
また、外部装置から電力を受けるための２つのコネクタが前記収納部における紙幣の集積方向において反対側の箇所にそれぞれ設けられていてもよい。
【００１９】
また、前記第１収納繰出機構および前記第２収納繰出機構において、前記収納部に収納された紙幣を１枚ずつ当該収納部の外部に繰り出すための繰出部材の構成が互いに異なっていてもよい。
【００２０】
この場合、前記第１収納繰出機構および前記第２収納繰出機構のうち紙幣をその短手方向に沿って送る前記収納繰出機構には前記繰出部材として繰出ローラが設けられており、前記第１収納繰出機構および前記第２収納繰出機構のうち紙幣をその長手方向に沿って送る前記収納繰出機構には前記繰出部材として繰出ベルトが設けられていてもよい。
【００２１】
本発明の紙幣収納カセットは、前記収納部に収納される紙幣の順番と当該紙幣の記番号とを紐付けて記憶する記憶部を更に備えていてもよい。
【００２２】
本発明の紙幣処理システムは、紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構と、前記収納部に収納される紙幣の順番と当該紙幣の記番号とを紐付けて記憶する記憶部とを有しており、各々の前記収納繰出機構による紙幣の送り方向が互いに異なる紙幣収納カセットと、前記紙幣収納カセットが着脱自在に装着され、本体部分から前記紙幣収納カセットに紙幣を送って当該紙幣収納カセットの前記収納部に紙幣を収納させるとともに前記紙幣収納カセットの前記収納部から前記収納繰出機構により繰り出された紙幣が前記本体部分に送られる、紙幣処理装置と、を備え、前記紙幣処理装置は、当該紙幣処理装置に装着された前記紙幣収納カセットの前記記憶部に記憶された情報を読み取る読取部と、前記読取部により読み取られた情報に基づいて前記紙幣収納カセットから前記紙幣処理装置の本体部分に送られた紙幣の記番号を管理する制御部とを有しており、前記制御部は、前記紙幣処理装置に装着された前記紙幣収納カセットにおける使用される前記収納繰出機構の種類に基づいて、前記紙幣収納カセットから前記紙幣処理装置の本体部分に送られた紙幣の順番を判定することを特徴とする。
【００２３】
本発明の紙幣処理システムは、紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構とを有しており、各々の前記収納繰出機構による紙幣の送り方向が互いに異なる紙幣収納カセットと、前記紙幣収納カセットが着脱自在に装着され、本体部分から前記紙幣収納カセットに紙幣を送って当該紙幣収納カセットの前記収納部に紙幣を収納させるとともに前記紙幣収納カセットの前記収納部から前記収納繰出機構により繰り出された紙幣が前記本体部分に送られる、複数の紙幣処理装置と、を備え、各々の前記紙幣処理装置における紙幣の搬送方向が互いに異なるようになっており、前記紙幣収納カセットがある前記紙幣処理装置に装着されたときには当該紙幣収納カセットにおいて第１の送り方向に沿って紙幣が送られるとともに、前記紙幣収納カセットが別の前記紙幣処理装置に装着されたときには当該紙幣収納カセットにおいて前記第１の送り方向とは異なる第２の送り方向に沿って紙幣が送られるようになっていることを特徴とする。
【００２４】
本発明の紙幣処理システムにおいては、複数の前記紙幣処理装置は、第１紙幣処理装置と、前記第１紙幣処理装置による紙幣の搬送方向に対して略直交する方向に紙幣を搬送する第２紙幣処理装置とを有しており、前記紙幣収納カセットにおける複数の前記収納繰出機構は、第１収納繰出機構と、前記第１収納繰出機構による紙幣の送り方向に対して略直交する方向に紙幣を送る第２収納繰出機構とを有していてもよい。
【００２５】
本発明の紙幣処理方法は、紙幣を収納する収納部と、前記収納部の外部から内部へ紙幣を１枚ずつ送って当該収納部に紙幣を収納させるとともに前記収納部に収納された紙幣を１枚ずつ当該収納部の外部に繰り出す、複数の収納繰出機構とを有しており、各々の前記収納繰出機構による紙幣の送り方向が互いに異なる紙幣収納カセットを第１紙幣処理装置に装着し、前記第１紙幣処理装置の本体部分から第１の送り方向に沿って前記紙幣収納カセットに紙幣を送って当該紙幣収納カセットの前記収納部に紙幣を収納させる工程と、前記紙幣収納カセットを前記第１紙幣処理装置とは異なる第２紙幣処理装置に装着し、前記紙幣収納カセットの前記収納部に収納された紙幣を１枚ずつ前記第１の送り方向とは異なる第２の送り方向に沿って当該収納部の外部に繰り出して前記第２紙幣処理装置の本体部分に送る工程と、を備えたことを特徴とする。
【００２６】
このような紙幣処理方法によれば、紙幣が第１の方向（例えば、紙幣の長手方向）に沿って搬送される第１紙幣処理装置と、紙幣が第２の方向（例えば、紙幣の短手方向）に沿って搬送される第２紙幣処理装置との間で、操作者の手に触れることなく紙幣の受け渡しを行うことができ、このため操作者にとっての利便性を向上させるとともに防盗性を向上させることができる。
【発明の効果】
【００２７】
本発明の紙幣収納カセット、紙幣処理システムおよび紙幣処理方法によれば、紙幣が第１の方向（例えば、紙幣の長手方向）に沿って搬送される第１紙幣処理装置と、紙幣が第２の方向（例えば、紙幣の短手方向）に沿って搬送される第２紙幣処理装置との間で、操作者の手に触れることなく紙幣の受け渡しを行うことができ、このため操作者にとっての利便性を向上させるとともに防盗性を向上させることができる。
【図面の簡単な説明】
【００２８】
【図１】本発明の実施の形態による現金管理システムの構成例を示すブロック図である。
【図２】図１に示す現金管理システムに設けられた現金精算装置の外観を示す斜視図である。
【図３】図２に示す現金精算装置における紙幣精算装置の内部構成を概略的に示す構成図である。
【図４】図２に示す現金精算装置の制御系の構成を示す機能ブロック図である。
【図５】図１に示す現金管理システムに設けられた現金出納装置における紙幣出納装置の内部構成を概略的に示す構成図である。
【図６】図１に示す現金管理システムに設けられた現金出納装置の制御系の構成を示す機能ブロック図である。
【図７】図１に示す現金管理システムにおいて紙幣精算装置と紙幣出納装置との間で紙幣の受け渡しを行うための紙幣収納カセットの構成を概略的に示す斜視図である。
【図８】紙幣精算装置において図７に示す紙幣収納カセットに紙幣が収納されるときの状態を示す側面図である。
【図９】紙幣精算装置において図７に示す紙幣収納カセットに紙幣が収納された後、当該紙幣収納カセットが紙幣精算装置から取り外されたときの状態を示す側面図である。
【図１０】紙幣出納装置において図７に示す紙幣収納カセットから紙幣が繰り出されるときの状態を示す側面図である。
【図１１】図１０に示す紙幣収納カセットを側方から見たときの状態を示す側面図である。
【図１２】本発明の実施の形態における紙幣収納カセットの他の構成例を示す側面図である。
【図１３】図１２に示す紙幣収納カセットにサイズが比較的大きな紙幣が収納されたときの状態を示す側面図である。
【図１４】図１２に示す紙幣収納カセットにサイズが比較的小さな紙幣が収納されたときの状態を示す側面図である。
【図１５】本発明の実施の形態における紙幣収納カセットの更に他の構成例を示す側面図である。
【図１６】本発明の実施の形態における紙幣収納カセットの更に他の構成例を示す側面図である。
【図１７】本発明の実施の形態における紙幣収納カセットの更に他の構成例を示す側面図である。
【図１８】図１７に示す紙幣収納カセットにおいて紙幣が収納されるときの動作を示す側面図である。
【図１９】図１７に示す紙幣収納カセットにおいて紙幣が収納されるときの動作を示す側面図である。
【図２０】本発明の実施の形態における紙幣収納カセットの更に他の構成例を示す側面図である。
【発明を実施するための形態】
【００２９】
以下、図面を参照して本発明の実施の形態について説明する。図１乃至図１１は、本実施の形態による現金管理システムやこの現金管理システムに設けられた現金精算装置および現金出納装置、ならびにこの現金管理システムで用いられる紙幣収納カセットを示す図である。このうち、図１は、本実施の形態による現金管理システムの構成例を示すブロック図である。また、図２は、図１に示す現金管理システムに設けられた現金精算装置の外観を示す斜視図であり、図３は、図２に示す現金精算装置における紙幣精算装置の内部構成を概略的に示す構成図であり、図４は、図２に示す現金精算装置の制御系の構成を示す機能ブロック図である。また、図５は、図１に示す現金管理システムに設けられた現金出納装置における紙幣出納装置の内部構成を概略的に示す構成図であり、図６は、図１に示す現金管理システムに設けられた現金出納装置の制御系の構成を示す機能ブロック図である。また、図７は、図１に示す現金管理システムにおいて紙幣精算装置と紙幣出納装置との間で紙幣の受け渡しを行うための紙幣収納カセットの構成を概略的に示す斜視図であり、図８乃至図１１は、それぞれ、図７に示す紙幣収納カセットの側面図である。
【００３０】
最初に、本実施の形態による現金管理システム１の構成について図１を用いて説明する。本実施の形態による現金管理システム１は、例えばスーパーマーケット等の店舗に設置されるようになっており、当該現金管理システム１が設置される店舗は、顧客が立ち入り可能なフロント領域と、顧客が立ち入ることができないバックオフィス２０とに区分けされている。フロント領域には、店員が顧客との間でやりとりした現金を入出金するチェックアウトカウンター１０が設けられており、当該チェックアウトカウンター１０には、現金を入金および出金することにより顧客との精算処理を行う一または複数の現金精算装置１１が設置されている。現金精算装置１１は、店員または顧客自らによって操作され、店員と顧客との間の精算処理に用いられるようになっている。このような現金精算装置１１は、顧客が支払った代金を入金するとともに顧客へ支払う釣銭を出金する機能を有している。
【００３１】
バックオフィス２０には、一または複数の現金出納装置２１と、現金管理装置２５と、ＰＯＳ管理装置２８とがそれぞれ設けられている。例えば、バックオフィス２０には合計で３台の現金出納装置２１が設けられている。現金出納装置２１は、現金精算装置１１と通信可能に接続されており、例えば、現金精算装置１１へ装填するための釣銭準備金を出金し、あるいは、現金精算装置１１から回収した売上金を入金するようになっている。現金管理装置２５は、ＬＡＮ（Local Area Network）等を介して現金精算装置１１および現金出納装置２１と通信可能に接続されている。このような現金管理装置２５は、現金精算装置１１および現金出納装置２１に収納されている現金を管理するようになっている。より詳細には、現金管理装置２５は、現金精算装置１１において精算処理された現金、並びに、現金精算装置１１と現金出納装置２１との間で授受された現金を管理するようになっている。また、ＰＯＳ管理装置２８は商品の流れを管理するようになっている。なお、商品の流れについては本発明と直接関連しないので、ここではＰＯＳ管理装置２８に関する詳細な説明を省略する。
【００３２】
次に、チェックアウトカウンター１０に設けられた現金精算装置１１の構成の詳細について図２乃至図４を用いて説明する。図２に示すように、現金精算装置１１は、左右に並ぶよう配設された紙幣精算装置１２および硬貨精算装置１３から構成されている。
【００３３】
図２および図３に示すように、紙幣精算装置１２は、略直方体形状の筐体１００と、入金部１１０と、出金部１２０とを備えている。ここで、図３に示すように、入金部１１０には入金部カバー１１１が設けられており、紙幣の入金時において操作者は入金部カバー１１１を開けて紙幣を入金部１１０に投入するようになっている。また、紙幣精算装置１２の筐体１００内には、紙幣を１枚ずつ搬送する搬送部１３０が設けられている。ここで、入金部１１０には、当該入金部１１０に投入された紙幣を１枚ずつ搬送部１３０に繰り出すための繰出機構が設けられており、入金部１１０に投入された紙幣は繰出機構により搬送部１３０に繰り出された後、当該搬送部１３０により搬送されるようになっている。本実施の形態では、入金部１１０には紙幣の束がその長手方向に沿って投入されるようになっており、また、搬送部１３０は、紙幣をその長手方向に沿って運搬するようになっている。また、搬送部１３０には識別部１４０が設けられており、この識別部１４０によって、搬送部１３０により搬送される紙幣の金種、正損、真偽等の識別が行われるようになっている。また、識別部１４０によって、搬送部１３０により搬送される紙幣の記番号に係る情報を取得することができるようになっている。
【００３４】
また、図３に示すように、紙幣精算装置１２の筐体１００内において複数の収納繰出部１５０が設けられており、各収納繰出部１５０はそれぞれ搬送部１３０に接続されている。各収納繰出部１５０は、紙幣を金種別に収納するようになっている。より詳細には、識別部１４０による識別結果に基づいて、入金部１１０から搬送部１３０に繰り出された紙幣は当該搬送部１３０により各収納繰出部１５０に金種別に送られるようになっている。また、各収納繰出部１５０は、当該収納繰出部１５０に収納された紙幣を１枚ずつ搬送部１３０に繰り出すことができるようになっている。各収納繰出部１５０は、紙幣を１枚ずつ一対のテープ間に挟み込んだ状態で当該テープを紙幣とともに巻き取るテープリール式の収納繰出部（図３参照）であってもよく、あるいは、紙幣を積み重ねて収納するスタッカ式の収納繰出部（図示せず）であってもよい。
【００３５】
また、図３に示すように、紙幣精算装置１２の筐体１００内には、後述する紙幣収納カセット３０を装着するためのカセット装着部１６０が設けられている。より詳細には、紙幣精算装置１２の筐体１００の前面に設けられた前カバー１０１（図２参照）を開けることにより、操作者はカセット装着部１６０に紙幣収納カセット３０を装着したり当該カセット装着部１６０から紙幣収納カセット３０を取り外したりすることができるようになっている。図３に示すように、紙幣収納カセット３０がカセット装着部１６０に装着されているときには、各収納繰出部１５０から搬送部１３０に繰り出された紙幣を当該搬送部１３０により紙幣収納カセット３０に送り、この紙幣収納カセット３０に収納させることができるようになっている。なお、本実施の形態では、搬送部１３０から紙幣がその長手方向に沿って紙幣収納カセット３０に送られるようになっている。
【００３６】
また、図２に示すように、硬貨精算装置１３は、略直方体形状の筐体１７０と、入金部１７２と、出金部１７４とを備えている。このような硬貨精算装置１３において、操作者は入金部１７２により筐体１７０内に硬貨を投入することができるようになっており、筐体１７０内に投入された硬貨は当該筐体１７０内に設けられた硬貨収納部（図示せず）に収納されるようになっている。なお、硬貨精算装置１３は本発明と直接関連しないので当該硬貨精算装置１３の内部構成の詳細については省略する。また、硬貨精算装置１３において硬貨の出金処理を行う場合には、硬貨収納部から繰り出された硬貨が出金部１７４により筐体１７０の外部に投出されるようになっている。また、操作者は硬貨精算装置１３の筐体１７０の前面に設けられた前カバー１７１を開くことにより硬貨収納部から硬貨を取り出すことができるようになっている。
【００３７】
次に、このような紙幣精算装置１２や硬貨精算装置１３を備えた現金精算装置１１の制御系の構成について図４を用いて説明する。図４に示すように、本実施の形態の現金精算装置１１には制御部１９０が設けられており、当該制御部１９０によって紙幣精算装置１２や硬貨精算装置１３の各構成部材が制御されるようになっている。より詳細には、制御部１９０には紙幣精算装置１２の入金部１１０、出金部１２０、搬送部１３０、識別部１４０、収納繰出部１５０およびカセット装着部１６０等の各構成部材、ならびに硬貨精算装置１３の入金部１７２および出金部１７４等の各構成部材が接続されており、制御部１９０によりこれらの構成部材が制御されるようになっている。なお、図４において、制御部１９０に接続される、硬貨精算装置１３における入金部１７２や出金部１７４以外の各構成部材については図示を省略している。また、図４に示すように、制御部１９０には例えばタッチパネル等からなる操作表示部１９５、メモリ等からなる記憶部１９６およびインターフェース１９７等が接続されている。操作表示部１９５は例えば紙幣精算装置１２の筐体１００の上面に取り付けられており（図２参照）、当該操作表示部１９５には、紙幣精算装置１２や硬貨精算装置１３における紙幣や硬貨の入出金処理の結果に係る情報や、紙幣精算装置１２や硬貨精算装置１３に収納されている紙幣や硬貨の金種毎の枚数や合計金額に係る情報（在高情報）等の様々な情報が表示されるようになっている。また、操作者は操作表示部１９５を操作することにより制御部１９０に様々な指示を与えることができるようになっている。また、記憶部１９６には、紙幣精算装置１２や硬貨精算装置１３における紙幣や硬貨の入出金処理の履歴情報や、紙幣精算装置１２や硬貨精算装置１３に収納されている紙幣や硬貨の金種毎の枚数や合計金額に係る情報（在高情報）が記憶されるようになっている。また、記憶部１９６には、紙幣収納カセット３０に収納されている紙幣の識別情報やこの識別情報に対応する紙幣の記番号、紙幣収納カセット３０への紙幣の収納の順番等の情報も記憶されるようになっている。また、制御部１９０はインターフェース１９７を介して外部装置に対して信号の送受信を行うことができるようになっている。
【００３８】
次に、バックオフィス２０に設けられた現金出納装置２１の構成の詳細について図５および図６を用いて説明する。本実施の形態では、現金出納装置２１は、左右に並ぶよう配設された紙幣出納装置２２および硬貨出納装置（図示せず）から構成されている。なお、硬貨出納装置については本発明と直接関連しないので当該硬貨出納装置の構成の説明については省略する。
【００３９】
図５に示すように、紙幣出納装置２２は上部ユニット２０２および下部ユニット２０４からなる２つのユニットから構成されている。また、紙幣出納装置２２は、略直方体形状の筐体２００と、入金部２１０と、出金部２２０とを備えている。また、紙幣出納装置２２の筐体２００内には、紙幣を１枚ずつ搬送する搬送部２３０が設けられている。ここで、入金部２１０には、当該入金部２１０に投入された紙幣を１枚ずつ搬送部２３０に繰り出すための繰出機構が設けられており、入金部２１０に投入された紙幣は繰出機構により搬送部２３０に繰り出された後、当該搬送部２３０により搬送されるようになっている。本実施の形態では、入金部２１０には紙幣の束が短手方向に沿って投入されるようになっており、搬送部２３０は、紙幣をその短手方向に沿って搬送するようになっている。また、搬送部２３０は、上部ユニット２０２および下部ユニット２０４をそれぞれ連結する２つの連結通路（具体的には、第１連結通路２３２および第２連結通路２３４）を有している。また、搬送部２３０には識別部２４０が設けられており、この識別部２４０によって、搬送部２３０により搬送される紙幣の金種、正損、真偽等の識別が行われるようになっている。また、識別部２４０によって、搬送部２３０により搬送される紙幣の記番号に係る情報を取得することができるようになっている。また、搬送部２３０には一時保留部２４５が接続されており、識別部２４０により識別が行われた紙幣は搬送部２３０により一時保留部２４５に送られ、当該一時保留部２４５において一時的に保留されるようになっている。ここで、これらの入金部２１０、出金部２２０、識別部２４０および一時保留部２４５は上部ユニット２０２に設けられている。
【００４０】
また、図５に示すように、紙幣出納装置２２の筐体２００内において複数の収納繰出部２５０が設けられており、各収納繰出部２５０はそれぞれ搬送部２３０に接続されている。各収納繰出部２５０は、紙幣を金種別に収納するようになっている。より詳細には、識別部２４０による識別結果に基づいて、一時保留部２４５に一時的に保留されている紙幣が当該一時保留部２４５から搬送部２３０に繰り出されてこの搬送部２３０により各収納繰出部２５０に金種別に送られるようになっている。なお、本実施の形態による紙幣出納装置２２では、紙幣の入金処理が行われる際に、識別部２４０により識別された紙幣が一時保留部２４５において一時的に保留される代わりに、識別部２４０により識別された紙幣が一時保留部２４５で一時的に保留されることなく各収納繰出部２５０に直接的に送られるようになっていてもよい。また、各収納繰出部２５０は、当該収納繰出部２５０に収納された紙幣を１枚ずつ搬送部２３０に繰り出すことができるようになっている。各収納繰出部２５０は、紙幣を１枚ずつ一対のテープ間に挟み込んだ状態で当該テープを紙幣とともに巻き取るテープリール式の収納繰出部（図５参照）であってもよく、あるいは、紙幣を積み重ねて収納するスタッカ式の収納繰出部（図示せず）であってもよい。このような各収納繰出部２５０は下部ユニット２０４に設けられている。
【００４１】
また、図５に示すように、紙幣出納装置２２の筐体２００内には、後述する紙幣収納カセット３０を装着するためのカセット装着部２６０が設けられている。より詳細には、当該紙幣出納装置２２の筐体２００の前面に設けられた前カバー（図示せず）を開けることにより、操作者はカセット装着部２６０に紙幣収納カセット３０を装着したり当該カセット装着部２６０から紙幣収納カセット３０を取り外したりすることができるようになっている。図５に示すように、紙幣収納カセット３０がカセット装着部２６０に装着されているときには、各収納繰出部２５０から搬送部２３０に繰り出された紙幣を識別部２４０により識別させた後、当該搬送部２３０により紙幣収納カセット３０に送り、この紙幣収納カセット３０に収納させることができるようになっている。また、紙幣収納カセット３０がカセット装着部２６０に装着されているときに、紙幣収納カセット３０に収納されている紙幣を搬送部２３０に繰り出して識別部２４０により識別させた後、当該搬送部２３０により各収納繰出部２５０に送ることができるようになっている。このようなカセット装着部２６０は下部ユニット２０４に設けられている。なお、本実施の形態では、紙幣収納カセット３０に収納されている紙幣はその短手方向に沿って搬送部２３０に繰り出されるようになっている。また、本実施の形態では、紙幣収納カセット３０がカセット装着部２６０に装着されたときに、紙幣収納カセット３０の側面に設けられたメモリ等の記憶部９０（後述）に記憶されている情報がカセット装着部２６０に設けられたリーダライタ２６２（後述）によって読み取られることにより、紙幣収納カセット３０から繰り出された紙幣が、リーダライタ２６２によって記憶部９０から取得された情報に基づいて各収納繰出部２５０に収納されるようになっていてもよい。
【００４２】
なお、本実施の形態では、紙幣収納カセット３０をカセット装着部２６０に装着させる代わりに、あるいは紙幣収納カセット３０をカセット装着部２６０に装着させることに加えて、紙幣収納カセット３０を入金部２１０に装着することができるようになっていてもよい。この場合には、入金部２１０に装着された紙幣収納カセット３０から紙幣を搬送部２３０に繰り出すとともに、入金部２１０に装着された紙幣収納カセット３０に対して搬送部２３０から紙幣を送ることができるようになる。また、この場合には、紙幣収納カセット３０が入金部２１０に装着されたときにこの紙幣収納カセット３０の記憶部９０（後述）に対して情報を書き込んだり当該記憶部９０から情報を読み取ったりするためのリーダライタ（図示せず）が入金部２１０に設けられていてもよい。この場合には、紙幣収納カセット３０が入金部２１０に装着されたときに、記憶部９０に記憶されている、紙幣収納カセット３０に収納されていた紙幣の順番と、この紙幣の順番に紐付けられた、当該紙幣の記番号や金種等の紙幣精算装置１２の識別部１４０により取得された情報を入金部２１０に設けられたリーダライタにより読み取ることができるようになる。また、入金部２１０に装着された紙幣収納カセット３０から紙幣が筐体２００の内部に繰り出されて各収納繰出部２５０に収納される際に、入金部２１０に設けられたリーダライタによって記憶部９０から取得された情報に基づいて紙幣収納カセット３０から繰り出された紙幣が各収納繰出部２５０に収納されるようになっていてもよい。この場合には、入金部２１０に装着された紙幣収納カセット３０から筐体２００の内部に繰り出された紙幣を識別部２４０により識別する必要がなくなる。なお、入金部２１０に装着された紙幣収納カセット３０から筐体２００の内部に繰り出された紙幣を識別部２４０により識別する場合には、識別部２４０により正常な紙幣ではないと識別された紙幣や搬送異常であると識別された紙幣はリジェクト紙幣として図示しない回収部に収納されるようになる。
【００４３】
また、紙幣収納カセット３０を入金部２１０に装着することができるようになっている場合には、紙幣出納装置２２において紙幣収納カセット３０に紙幣を収納して補充金を作成する際に、各収納繰出部２５０から搬送部２３０に繰り出された紙幣を識別部２４０により識別した後に入金部２１０に装着された紙幣収納カセット３０に収納させることができるようになる。この場合、識別部２４０により取得された、紙幣収納カセット３０に収納された紙幣の記番号等の識別情報を入金部２１０に設けられたリーダライタにより紙幣収納カセット３０の記憶部９０（後述）に書き込むことができるようになる。
【００４４】
次に、このような紙幣出納装置２２や硬貨出納装置（図示せず）を備えた現金出納装置２１の制御系の構成について図６を用いて説明する。図６に示すように、本実施の形態の現金出納装置２１には制御部２９０が設けられており、当該制御部２９０によって紙幣出納装置２２や硬貨出納装置の各構成部材が制御されるようになっている。より詳細には、制御部２９０には紙幣出納装置２２の入金部２１０、出金部２２０、搬送部２３０、識別部２４０、一時保留部２４５、収納繰出部２５０およびカセット装着部２６０等の各構成部材、ならびに硬貨出納装置の各構成部材が接続されており、制御部２９０によりこれらの構成部材が制御されるようになっている。なお、図６において、制御部２９０に接続される、硬貨出納装置における各構成部材については図示を省略している。また、図６に示すように、制御部２９０には例えばタッチパネル等からなる操作表示部２９５、メモリ等からなる記憶部２９６およびインターフェース２９７等が接続されている。操作表示部２９５には、紙幣出納装置２２や硬貨出納装置における紙幣や硬貨の入出金処理の結果に係る情報や、紙幣出納装置２２や硬貨出納装置に収納されている紙幣や硬貨の金種毎の枚数や合計金額に係る情報（在高情報）等の様々な情報が表示されるようになっている。また、操作者は操作表示部２９５を操作することにより制御部２９０に様々な指示を与えることができるようになっている。また、記憶部２９６には、紙幣出納装置２２や硬貨出納装置における紙幣や硬貨の入出金処理の履歴情報や、紙幣出納装置２２や硬貨出納装置に収納されている紙幣や硬貨の金種毎の枚数や合計金額に係る情報（在高情報）が記憶されるようになっている。また、記憶部２９６には、紙幣収納カセット３０に収納されている紙幣の識別情報やこの識別情報に対応する紙幣の記番号、紙幣収納カセット３０への紙幣の収納の順番等の情報も記憶されるようになっている。また、制御部２９０はインターフェース２９７を介して外部装置に対して信号の送受信を行うことができるようになっている。
【００４５】
本実施の形態においては、上述したように、現金管理システム１における現金精算装置１１の紙幣精算装置１２において、紙幣は搬送部１３０によりその長手方向に沿って搬送されるようになっている。このため、紙幣精算装置１２の筐体１００の幅を小さくして省スペース化を図ることができるとともにこの紙幣精算装置１２に設置される識別部１４０を安価なものとすることができるようになる。一方、現金出納装置２１の紙幣出納装置２２において、紙幣は搬送部２３０によりその短手方向に沿って搬送されるようになっている。このため、紙幣出納装置２２の各収納繰出部２５０において紙幣はその短手方向に沿って収納されるようになり、紙幣をその長手方向に沿って収納させる場合と比較して各収納繰出部２５０における紙幣の収納量を増やすことができ、よって紙幣出納装置２２全体での紙幣の収納量を増やすことができるようになる。また、紙幣出納装置２２において、搬送部２３０により紙幣をその短手方向に沿って搬送する場合には、紙幣をその長手方向に沿って搬送する場合と比較して、紙幣の処理速度を向上させることができ、よって紙幣出納装置２２における作業効率を向上させることができるようになる。
【００４６】
次に、紙幣精算装置１２と紙幣出納装置２２との間で紙幣の受け渡しを行うための紙幣収納カセット３０の構成の詳細について図７乃至図１１を用いて説明する。ここで、図７は、紙幣収納カセット３０の構成を概略的に示す斜視図であり、図８は、紙幣精算装置１２において紙幣収納カセット３０に紙幣が収納されるときの状態を示す側面図であり、図９は、紙幣精算装置１２において紙幣収納カセット３０に紙幣が収納された後、当該紙幣収納カセット３０が紙幣精算装置１２から取り外されたときの状態を示す側面図である。また、図１０は、紙幣出納装置２２において紙幣収納カセット３０から紙幣が繰り出されるときの状態を示す側面図であり、図１１は、図１０に示す紙幣収納カセット３０を側方から見たときの状態を示す側面図である。なお、図８乃至図１１において、紙幣収納カセット３０に収納されている紙幣を参照符号Ｐで示す。
【００４７】
図７において二点鎖線で示す紙幣収納カセット３０の筐体３１は略直方体形状のものとなっており、当該筐体３１の横方向の大きさ（すなわち、図７の左右方向における長さ）は縦方向の大きさ（すなわち、図７の奥行き方向における長さ）よりも大きくなっている。このため、図７において紙幣はその長手方向が筐体３１の横方向（すなわち、図７における左右方向）となるよう紙幣収納カセット３０に収納されるようになっている。また、紙幣収納カセット３０の側面には２つの紙幣の投出入口３８、４８が設けられている。なお、本実施の形態では、２つの投出入口３８、４８が設けられる筐体３１の側面は互いに異なっている。より詳細には、筐体３１における互いに隣りあう２つの側面に投出入口３８、４８がそれぞれ設けられている。具体的に説明すると、投出入口４８は筐体３１の横方向（すなわち、図７における左右方向）に沿って延びるようになっており、投出入口３８は筐体３１の縦方向（すなわち、図７における奥行き方向）に沿って延びるようになっている。また、投出入口４８の幅は投出入口３８の幅よりも大きくなっている。本実施の形態では、紙幣がその短手方向に沿って紙幣収納カセット３０に出し入れされる際には当該紙幣は投出入口４８を介して紙幣収納カセット３０に出し入れされるようになっている。一方、紙幣がその長手方向に沿って紙幣収納カセット３０に出し入れされる際には当該紙幣は投出入口３８を介して紙幣収納カセット３０に出し入れされるようになっている。
【００４８】
また、紙幣収納カセット３０の筐体３１の内部には、上下方向に並ぶよう設けられた一対の平板部材５０、５２が設けられている。これらの平板部材５０、５２は互いに独立して図７における上下方向に移動自在となっており、紙幣収納カセット３０に収納された紙幣はこれらの平板部材５０、５２の間に積層状態で挟まれるようになっている。より詳細には、平板部材５０、５２の各々には、紙幣収納カセット３０の筐体３１内で上下方向に延びる循環ベルト（図示せず）がそれぞれ接続されており、これらの循環ベルトが、紙幣収納カセット３０の筐体３１内に設けられた駆動モータ（図示せず）によって循環移動させられることにより平板部材５０、５２は互いに独立して図７における上下方向に移動するようになっている。本実施の形態では、これらの平板部材５０、５２を組み合わせることにより、紙幣を収納する収納部が構成されている。
【００４９】
これらの一対の平板部材５０、５２のうち、一方の平板部材は紙幣が積層状態で載置される載置板として機能し、他方の平板部材は紙幣収納カセット３０の筐体３１の外部から内部へ紙幣が送られる際に当該紙幣を案内する案内板として機能するようになっており、これらの載置板と案内板との間に紙幣の収納空間が形成されるようになっている。なお、本発明では、「紙幣を案内する」とは、平板部材５０、５２が後述する第１収納繰出機構３２の循環ベルト３４や第２収納繰出機構４２のキッカローラ４４から外側に退避することにより投出入口３８、４８から筐体３１内に送られた紙幣が平板部材５０、５２に接触しなくなるような態様も含むようになっている。また、本実施の形態では、紙幣収納カセット３０を図７に示すような状態から上下反転させて用いることができるようになっている。すなわち、紙幣収納カセット３０が図７に示すような状態にあるときには、下側に位置する平板部材５２が載置板として機能し、上側に位置する平板部材５０が案内板として機能するようになる。一方、紙幣収納カセット３０を図７に示すような状態から上下反転させたときには、平板部材５０が載置板として機能し、平板部材５２が案内板として機能するようになる。このように、本実施の形態では、紙幣収納カセット３０の筐体３１内における紙幣の集積方向が反転するよう紙幣収納カセット３０が逆向きに配置される際に、一対の平板部材５０、５２における載置板および案内板の機能が互いに入れ替わるようになっている。このような技術的事項の詳細については後述する。
【００５０】
本実施の形態では、一対の平板部材５０、５２のうち案内板として機能する平板部材（例えば、紙幣収納カセット３０が図７に示すような状態にあるときの平板部材５０）は、投出入口４８から筐体３１の内部へ紙幣を送る方向（すなわち、図７における奥行き方向）に対して斜め下方に傾斜することができるようになっていてもよい。この場合には、紙幣収納カセット３０において、投出入口４８から筐体３１の内部へ送られた紙幣の先端部分が、当該紙幣の送り方向に対して傾斜している平板部材５０の下面に接触することにより当該平板部材５０の下面に沿って案内され、載置板として機能する平板部材５２に既に集積されている紙幣の上に整列状態で集積されるようになる。このように、一対の平板部材のうち案内板として機能する平板部材５０が、投出入口４８から筐体３１の内部へ紙幣を送る方向に対して斜め下方に傾斜する場合には、投出入口４８から筐体３１の内部へ送られた紙幣を平板部材５０によってスムーズに案内して平板部材５２上に集積させることができるようになる。
【００５１】
また、紙幣収納カセット３０の筐体３１の内部において投出入口３８の近傍の位置（すなわち、筐体３１の内部における下部領域）には第１収納繰出機構３２が設けられている。第１収納繰出機構３２は、紙幣収納カセット３０の筐体３１の外部から投出入口３８を介して筐体３１の内部に送られた紙幣を当該紙幣収納カセット３０に収納させるとともに紙幣収納カセット３０に収納された紙幣を１枚ずつ投出入口３８を介して筐体３１の外部に繰り出すようになっている。より詳細には、第１収納繰出機構３２は、４つの循環ベルト３４および２つの逆転ローラ３６を有しており、第１収納繰出機構３２により紙幣が投出入口３８を介して筐体３１の外部に繰り出される際には、各循環ベルト３４が図７における時計回りの方向に循環移動するとともに逆転ローラ３６が図７における時計回りの方向に回転することにより紙幣が１枚ずつ図７における右側の循環ベルト３４と逆転ローラ３６との間の隙間を通り、投出入口３８から図７における右側に送られるようになっている。
【００５２】
また、平板部材５２には、各循環ベルト３４が通過することができるような複数の開口５２ａが設けられており、このことにより当該平板部材５２は各循環ベルト３４よりも図７における下方の位置に移動することができるようになっている。そして、紙幣収納カセット３０に収納された紙幣が第１収納繰出機構３２によって１枚ずつ投出入口３８を介して筐体３１の外部に繰り出される際には、平板部材５２は各循環ベルト３４よりも図７における下方の位置に退避するようになり、平板部材５０、５２の間で挟まれている複数の紙幣のうち図７における最下層に位置する紙幣が各循環ベルト３４に接触するようになる。
【００５３】
また、紙幣収納カセット３０の筐体３１の内部において投出入口４８の近傍の位置（すなわち、筐体３１の内部における上部領域）には第２収納繰出機構４２が設けられている。第２収納繰出機構４２は、紙幣収納カセット３０の筐体３１の外部から投出入口４８を介して筐体３１の内部に送られた紙幣を当該紙幣収納カセット３０に収納させるとともに紙幣収納カセット３０に収納された紙幣を１枚ずつ投出入口４８を介して筐体３１の外部に繰り出すようになっている。より詳細には、第２収納繰出機構４２は、２つのキッカローラ４４、２つのフィードローラ４５および２つの逆転ローラ４６を有しており、第２収納繰出機構４２により紙幣が投出入口４８を介して筐体３１の外部に繰り出される際には、紙幣がキッカローラ４４により図７における手前側に１枚ずつ蹴り出され、この蹴り出された紙幣がフィードローラ４５と逆転ローラ４６との間の隙間を通ることにより投出入口４８から図７における手前側に１枚ずつ繰り出されるようになる。
【００５４】
また、平板部材５０には、各キッカローラ４４が通過することができるような複数の開口５０ａが設けられており、このことにより当該平板部材５０は各キッカローラ４４よりも図７における上方の位置に移動することができるようになっている。そして、紙幣収納カセット３０に収納された紙幣が第２収納繰出機構４２によって１枚ずつ投出入口４８を介して筐体３１の外部に繰り出される際には、平板部材５０は各キッカローラ４４よりも図７における上方の位置に退避するようになり、平板部材５０、５２の間で挟まれている複数の紙幣のうち図７における最上層に位置する紙幣が各キッカローラ４４に接触するようになる。
【００５５】
以上のように、本実施の形態では、第１収納繰出機構３２による紙幣の送り方向および第２収納繰出機構４２による紙幣の送り方向が互いに異なるようになっている。すなわち、第１収納繰出機構３２による紙幣の送り方向は図７における左右方向であるのに対し、第２収納繰出機構４２による紙幣の送り方向は図７における奥行き方向となっており、第１収納繰出機構３２による紙幣の送り方向および第２収納繰出機構４２による紙幣の送り方向は略直交するようになっている。また、第１収納繰出機構３２および第２収納繰出機構４２の各々は、紙幣収納カセット３０の筐体３１内での紙幣の集積方向（すなわち、図７の上下方向）において反対側の箇所に設けられている。
【００５６】
また、図７に示すように、第１収納繰出機構３２の近傍には、当該第１収納繰出機構３２によって紙幣収納カセット３０から紙幣が投出入口３８を介して筐体３１の外部に繰り出される際にこの紙幣収納カセット３０内に残留する紙幣を検知するための残留検知センサ６２が設けられている。具体的には、残留検知センサ６２は発光素子６２ａおよび受光素子６２ｂを有しており、発光素子６２ａから発せられた光が図７において二点鎖線で示す光軸を通って受光素子６２ｂにより受けられるようになっている。そして、第１収納繰出機構３２によって紙幣が筐体３１の外部に繰り出される際に紙幣収納カセット３０内に紙幣が残留しているときには発光素子６２ａと受光素子６２ｂとの間の光軸をこの残留紙幣が遮断することにより残留検知センサ６２によって残留紙幣が検知されるようになる。同様に、第２収納繰出機構４２の近傍には、当該第２収納繰出機構４２によって紙幣収納カセット３０から紙幣が投出入口４８を介して筐体３１の外部に繰り出される際にこの紙幣収納カセット３０内に残留する紙幣を検知するための残留検知センサ６０が設けられている。具体的には、残留検知センサ６０は発光素子６０ａおよび受光素子６０ｂを有しており、発光素子６０ａから発せられた光が図７において二点鎖線で示す光軸を通って受光素子６０ｂにより受けられるようになっている。そして、第２収納繰出機構４２によって紙幣が筐体３１の外部に繰り出される際に紙幣収納カセット３０内に紙幣が残留しているときには発光素子６０ａと受光素子６０ｂとの間の光軸をこの残留紙幣が遮断することにより残留検知センサ６０によって残留紙幣が検知されるようになる。
【００５７】
また、図７に示すように、紙幣収納カセット３０の筐体３１内において各平板部材５０、５２が筐体３１の高さ方向における中央箇所に位置するときにこれらの平板部材５０、５２の間に挟まれている紙幣を検知する紙幣検知センサ６４が設けられている。具体的には、紙幣検知センサ６４は、発光素子６４ａ、受光素子６４ｂおよび光反射用プリズム６４ｃを有しており、発光素子６４ａから発せられた光が光反射用プリズム６４ｃで反射した後に受光素子６４ｂにより受けられるようになっている。また、各平板部材５０、５２には、発光素子６４ａから発せられた光や光反射用プリズム６４ｃにより反射した光を通すための貫通孔が設けられている。そして、各平板部材５０、５２が筐体３１の高さ方向における中央箇所に位置するときにこれらの平板部材５０、５２の間に紙幣が挟まれているときには発光素子６４ａや受光素子６４ｂと光反射用プリズム６４ｃとの間の光軸をこの紙幣が遮断することにより紙幣検知センサ６４によって平板部材５０、５２の間に挟まれた紙幣が検知されるようになる。
【００５８】
また、紙幣収納カセット３０の筐体３１の側面における上端部近傍および下端部近傍にはそれぞれコネクタ６６、６８が設けられており、これらのコネクタ６６、６８により紙幣収納カセット３０は外部装置（具体的には、紙幣収納カセット３０が装着される紙幣精算装置１２や紙幣出納装置２２）から電力を受けるようになっている。より詳細には、紙幣精算装置１２や紙幣出納装置２２には、紙幣収納カセット３０のコネクタ６６、６８のうち一方のコネクタが接続される本体コネクタが設けられており、紙幣収納カセット３０が紙幣精算装置１２や紙幣出納装置２２に装着されてこれらの紙幣精算装置１２や紙幣出納装置２２の本体コネクタと紙幣収納カセット３０のコネクタ（コネクタ６６、６８のうち一方のコネクタ）が接続されたときに、紙幣精算装置１２や紙幣出納装置２２から紙幣収納カセット３０に電力が供給され、この供給された電力により各平板部材５０、５２を駆動する駆動モータや第１収納繰出機構３２、第２収納繰出機構４２等が駆動されるようになっている。ここで、２つのコネクタ６６、６８は紙幣の集積方向（すなわち、図７の上下方向）において反対側の箇所にそれぞれ設けられている。このため、本実施の形態による紙幣収納カセット３０が上下反転した状態で紙幣精算装置１２や紙幣出納装置２２等の外部装置に装着された場合でも、一対のコネクタ６６、６８のうち反対側のコネクタが外部装置に接続されるようになるため、紙幣収納カセット３０は外部装置から電力を受けることができるようになる。また、現金精算装置１１の制御部１９０や現金出納装置２１の制御部２９０は、どちらのコネクタ６６、６８が紙幣精算装置１２や紙幣出納装置２２等の外部装置に接続されたかを検知することにより、紙幣収納カセット３０における第１収納繰出機構３２および第２収納繰出機構４２のうちどちらの収納繰出機構を動作させればよいかを判断することができるようになる。なお、本実施の形態では、紙幣収納カセット３０に一対のコネクタ６６、６８が設置されるような態様に限定されることはない。変形例として、紙幣収納カセット３０に設置されるコネクタの数が１つであり、紙幣収納カセット３０が上下反転した状態で紙幣精算装置１２や紙幣出納装置２２等の外部装置に装着された場合でもこの紙幣収納カセット３０に設けられたコネクタの位置に対応するよう紙幣精算装置１２や紙幣出納装置２２における本体コネクタの位置が設定されるようになっていてもよい。
【００５９】
また、図１に示すように、紙幣収納カセット３０の筐体３１の上面および下面にはそれぞれ取っ手３１ａ、３１ｂが設けられており、操作者が紙幣精算装置１２と紙幣出納装置２２との間で紙幣収納カセット３０を持ち運ぶ際に当該操作者は上下一対の取っ手３１ａ、３１ｂのうち一方の取っ手３１ａを持つようになっている。なお、本実施の形態では、上述したように紙幣収納カセット３０は図７に示すような状態から上下反転させて用いることができるようになっているため、筐体３１の上面および下面にはそれぞれ取っ手３１ａ、３１ｂが設けられている場合には、上下反転させた際に操作者は反対側の取っ手を持つことができるようになる。
【００６０】
また、図７に示すように、紙幣収納カセット３０の側面にはメモリ等の記憶部９０が設けられており、当該記憶部９０には紙幣収納カセット３０に収納される紙幣に係る情報が記憶されるようになっている。具体的には、記憶部９０は、紙幣収納カセット３０に収納される紙幣の順番と、当該紙幣の記番号や金種等の紙幣精算装置１２の識別部１４０や紙幣出納装置２２の識別部２４０により取得された情報とを紐付けて記憶するようになっている。また、図４に示すように、紙幣精算装置１２のカセット装着部１６０には、紙幣収納カセット３０が当該カセット装着部１６０に装着されたときにこの紙幣収納カセット３０の記憶部９０に対して情報を書き込んだり当該記憶部９０から情報を読み取ったりするためのリーダライタ１６２が設けられている。また、図６に示すように、紙幣出納装置２２のカセット装着部２６０にも、紙幣収納カセット３０が当該カセット装着部２６０に装着されたときにこの紙幣収納カセット３０の記憶部９０に対して情報を書き込んだり当該記憶部９０から情報を読み取ったりするためのリーダライタ２６２が設けられている。
【００６１】
次に、このような紙幣収納カセット３０を用いて紙幣精算装置１２から紙幣出納装置２２に紙幣を運搬する際の動作について図８乃至図１１を用いて説明する。なお、以下に示すような動作は現金精算装置１１の制御部１９０が紙幣精算装置１２の各構成部材を制御したり現金出納装置２１の制御部２９０が紙幣出納装置２２の各構成部材を制御したりすることにより行われるようになっている。
【００６２】
紙幣精算装置１２から紙幣出納装置２２に紙幣を運搬するにあたり、まず紙幣収納カセット３０を紙幣精算装置１２のカセット装着部１６０に装着する。この際に、紙幣収納カセット３０を図７に示す状態から上下反転させてカセット装着部１６０に装着するようにする。図８は、紙幣精算装置１２において紙幣収納カセット３０に紙幣が収納されるときの状態を示す側面図である。紙幣精算装置１２において紙幣収納カセット３０に紙幣が収納される際に、図８に示すように、案内板として機能する平板部材５２は第１収納繰出機構３２の各循環ベルト３４の上方に退避する。また、第１収納繰出機構３２の各循環ベルト３４は図８における反時計回りの方向に循環移動する。このことにより、紙幣精算装置１２において各収納繰出部１５０から繰り出された紙幣が搬送部１３０により紙幣収納カセット３０に送られると、投出入口３８を介して筐体３１の内部に送られた当該紙幣は第１収納繰出機構３２の各循環ベルト３４により図８における右方向に送られ、載置板として機能する平板部材５０上に自由落下して積層状態で集積されるようになる。
【００６３】
また、紙幣精算装置１２において紙幣収納カセット３０に紙幣が収納されると、カセット装着部１６０に設けられたリーダライタ１６２により当該紙幣収納カセット３０の記憶部９０に情報が書き込まれるようになっている。より詳細には、リーダライタ１６２は、紙幣精算装置１２の搬送部１３０から紙幣収納カセット３０の筐体３１の内部に送られて当該紙幣収納カセット３０に収納された紙幣の順番と当該紙幣の記番号とを紐付けて記憶部９０に書き込むようになる。
【００６４】
紙幣精算装置１２において紙幣収納カセット３０に紙幣が収納された後、当該紙幣収納カセット３０が紙幣精算装置１２のカセット装着部１６０から取り外される際に、平板部材５０、５２は、紙幣を間に挟んだ状態でそれぞれ下方に移動し、これらの平板部材５０、５２は筐体３１の高さ方向における中央箇所に位置するようになる（図９参照）。このことにより、紙幣精算装置１２と紙幣出納装置２２との間で紙幣収納カセット３０の持ち運びが行われる際に、当該紙幣収納カセット３０に収納されている紙幣が各投出入口３８、４８から抜き取られることを防止することができるようになり、紙幣収納カセット３０の防盗性を向上させることができる。
【００６５】
次に、紙幣が筐体３１内に収納されている紙幣収納カセット３０を紙幣出納装置２２のカセット装着部２６０に装着するにあたり、前もって紙幣収納カセット３０を図８や図９に示す状態から上下反転させ、投出入口４８が上方に位置するような状態で紙幣収納カセット３０をカセット装着部２６０に装着させる（図１０および図１１参照）。そして、このような状態で各平板部材５０、５２をそれぞれ図１０や図１１における上方向に移動させ、平板部材５０を第２収納繰出機構４２の各キッカローラ４４の上方に退避させる。そして、キッカローラ４４、フィードローラ４５および逆転ローラ４６を図１１における反時計回りの方向にそれぞれ回転させることにより、平板部材５２上に集積された複数の紙幣のうち最上層に位置する紙幣をキッカローラ４４によって図１１における右方向に１枚ずつ蹴り出し、この蹴り出された紙幣をフィードローラ４５によって投出入口４８から右方向に１枚ずつ繰り出すようにする。このようにして紙幣収納カセット３０から第２収納繰出機構４２により筐体３１の外部に繰り出された紙幣は紙幣出納装置２２の搬送部２３０により各収納繰出部２５０に送られ、これらの収納繰出部２５０に金種毎に収納されるようになる。
【００６６】
また、紙幣収納カセット３０に収納されている紙幣が紙幣出納装置２２に送られると、カセット装着部２６０に設けられたリーダライタ２６２により当該紙幣収納カセット３０の記憶部９０に記憶されている情報が読み取られるようになっている。より詳細には、リーダライタ２６２は、記憶部９０に記憶されている、紙幣収納カセット３０に収納されていた紙幣の順番と、この紙幣の順番に紐付けられた、当該紙幣の記番号や金種等の紙幣精算装置１２の識別部１４０により取得された情報を読み取るようになる。ここで、本実施の形態では、紙幣出納装置２２の制御部２９０は、紙幣出納装置２２のカセット装着部２６０に装着された紙幣収納カセット３０における使用される収納繰出機構の種類に基づいて、紙幣収納カセット３０から紙幣出納装置２２の本体部分に送られた紙幣の順番を判定するようになる。ここで、本実施の形態では、紙幣収納カセット３０が紙幣出納装置２２に装着されたときに図１１等に示すように第２収納繰出機構４２が使用されるようになり、紙幣収納カセット３０に紙幣が収納される際に使用される第１収納繰出機構３２とは異なるため、紙幣精算装置１２において紙幣収納カセット３０に紙幣が収納される順番と、紙幣出納装置２２において紙幣収納カセット３０から紙幣が繰り出される順番とを同じにする必要がある。すなわち、紙幣精算装置１２において紙幣収納カセット３０に最初に収納された紙幣は、紙幣出納装置２２において紙幣収納カセット３０から最初に繰り出され、また、紙幣精算装置１２において紙幣収納カセット３０に最後に収納された紙幣は、紙幣出納装置２２において紙幣収納カセット３０から最後に繰り出されるようになるため、紙幣出納装置２２の制御部２９０は、リーダライタ２６２により紙幣収納カセット３０の記憶部９０に記憶されている情報を読み取る際に、紙幣の記番号に紐付けられている当該紙幣の順番を同じとする必要がある。なお、紙幣精算装置１２のカセット装着部１６０に設けられたリーダライタ１６２も、上記のリーダライタ２６２と同様に、紙幣精算装置１２のカセット装着部１６０に装着された紙幣収納カセット３０における使用される収納繰出機構の種類に基づいて、紙幣収納カセット３０から紙幣精算装置１２の本体部分に送られた紙幣の順番を判定するようになっている。
【００６７】
以上のような構成からなる本実施の形態の紙幣収納カセット３０およびこのような紙幣収納カセット３０が用いられる現金管理システム１によれば、紙幣収納カセット３０には複数の収納繰出機構３２、４２が設けられており、各々の収納繰出機構３２、４２による紙幣の送り方向が互いに異なるようになっている。このことにより、紙幣がその長手方向に沿って搬送される紙幣精算装置１２と、紙幣がその短手方向に沿って搬送される紙幣出納装置２２との間で、紙幣収納カセット３０によって紙幣が操作者の手に触れることなく当該紙幣の受け渡しを行うことができるようになる。すなわち、紙幣精算装置１２に紙幣収納カセット３０が装着される際には図８に示すように第１収納繰出機構３２を用い、紙幣出納装置２２に紙幣収納カセット３０が装着される際には図１０および図１１に示すように第２収納繰出機構４２を用いることにより、紙幣収納カセット３０に対する紙幣の出し入れ動作において紙幣をその短手方向および長手方向の両方の方向に送ることができるようになる。このように、本実施の形態による紙幣収納カセット３０を用いれば、紙幣が搬送される際に当該紙幣の向きが異なるような２つの紙幣処理装置（具体的には、紙幣精算装置１２および紙幣出納装置２２）の間で紙幣の受け渡しを行うことができるため、操作者にとっての利便性を向上させるとともに防盗性を向上させることができる。また、このような紙幣収納カセット３０が用いられる現金管理システム１によれば、チェックアウトカウンター１０に設置される現金精算装置１１の紙幣精算装置１２についてはその筐体の幅を小さくして省スペース化を図ることができるとともにこの紙幣精算装置１２に設置される識別部１４０を安価なものとすることができるようになり、また、バックオフィス２０に設置される現金出納装置２１の紙幣出納装置２２については紙幣の収納量を増やすことができるようになる。また、紙幣出納装置２２において、搬送部２３０により紙幣をその短手方向に沿って搬送する場合には、紙幣をその長手方向に沿って搬送する場合と比較して、紙幣の処理速度を向上させることができ、よって紙幣出納装置２２における作業効率を向上させることができるようになる。
【００６８】
また、本実施の形態の紙幣収納カセット３０によれば、上述したように、当該紙幣収納カセット３０の内部には紙幣が積層状態で収納されるようになっており、第１収納繰出機構３２および第２収納繰出機構４２の各々は、紙幣の集積方向（すなわち、図７における上下方向）において反対側の箇所に設けられている。また、本実施の形態では、第１収納繰出機構３２が使用される場合と第２収納繰出機構４２が使用される場合とで紙幣の集積方向（すなわち、図７における上下方向）が反転するようになっている。すなわち、紙幣精算装置１２に紙幣収納カセット３０と装着させる場合と比較して、紙幣出納装置２２に紙幣収納カセット３０を装着させる場合に当該紙幣収納カセット３０を上下反転した状態で装着させることができるようになる。
【００６９】
また、本実施の形態の紙幣収納カセット３０によれば、上述したように、第１収納繰出機構３２と第２収納繰出機構４２との間には、紙幣が載置される載置部（具体的には、平板部材５０、５２）が設けられており、第１収納繰出機構３２とこの載置部との間に第１収納繰出空間が形成されるとともに、第２収納繰出機構４２とこの載置部との間に第２収納繰出空間が形成されるようになっている。具体的には、載置部は、第１載置部分としての平板部材５０および第２載置部分としての平板部材５２を有しており、第１収納繰出機構３２と載置部の第１載置部分としての平板部材５０との間で紙幣の収納および繰り出しが可能となっているとともに、第２収納繰出機構４２と載置部の第２載置部分としての平板部材５２との間でも紙幣の収納および繰り出しが可能となっている。
【００７０】
また、第１載置部分としての平板部材５０および第２載置部分としての平板部材５２のうち一方の平板部材は紙幣が積層状態で載置される載置板として機能するとともに他方の平板部材は紙幣収納カセット３０の外部から内部へ紙幣が送られる際に当該紙幣を案内する案内板として機能するようになっており、載置板および案内板との間に紙幣の収納空間が形成されており、紙幣収納カセット３０に収納される紙幣の集積方向が反転させられたときに、載置板および案内板の機能が互いに入れ替わるようになっている。
【００７１】
また、本実施の形態の紙幣収納カセット３０によれば、上述したように、第１収納繰出機構３２および第２収納繰出機構４２のうち一方の収納繰出機構により紙幣収納カセット３０の内部に収納された紙幣を他方の収納繰出機構により紙幣収納カセット３０の外部に繰り出すことができるようになっている。
【００７２】
また、本実施の形態の紙幣収納カセット３０によれば、上述したように、当該紙幣収納カセット３０を把持するための把持部として２つの取っ手３１ａ、３１ｂが収納部における紙幣の集積方向（すなわち、図７における上下方向）において反対側の箇所にそれぞれ設けられている（図１参照）。この場合には、紙幣収納カセット３０を上下反転させた場合に操作者は反対側の取っ手を持つことができるようになる。
【００７３】
また、本実施の形態の紙幣収納カセット３０によれば、上述したように、紙幣精算装置１２や紙幣出納装置２２等の外部装置から電力を受けるための２つのコネクタ６６、６８が収納部における紙幣の集積方向（すなわち、図７における上下方向）において反対側の箇所にそれぞれ設けられている。この場合には、本実施の形態による紙幣収納カセット３０が上下反転した状態で紙幣精算装置１２や紙幣出納装置２２等の外部装置に装着された場合でも、一対のコネクタ６６、６８のうち反対側のコネクタが外部装置に接続されるようになるため、紙幣収納カセット３０は外部装置から電力を受けることができるようになる。また、現金精算装置１１の制御部１９０や現金出納装置２１の制御部２９０は、どちらのコネクタ６６、６８が紙幣精算装置１２や紙幣出納装置２２等の外部装置に接続されたかを検知することにより、紙幣収納カセット３０における第１収納繰出機構３２および第２収納繰出機構４２のうちどちらの収納繰出機構を動作させればよいかを判断することができるようになる。
【００７４】
また、本実施の形態の紙幣収納カセット３０によれば、上述したように、第１収納繰出機構３２および第２収納繰出機構４２において、収納部に収納された紙幣を１枚ずつ当該収納部の外部に繰り出すための繰出部材の構成が互いに異なっている。具体的には、紙幣をその長手方向に沿って送る第１収納繰出機構３２には繰出部材として循環ベルト３４が設けられており、また、紙幣をその短手方向に沿って送る第２収納繰出機構４２には繰出部材としてフィードローラ４５が設けられている。この場合には、紙幣をその長手方向に沿って送る際に、ローラではなくベルトが用いられるため、紙幣を確実に筐体３１の内部から外部へ繰り出すことができるようになる。なお、紙幣をその長手方向に沿って送る際に、複数並べて設けられたローラを用いた場合でも、ベルトを用いた場合と同様に紙幣を確実に筐体３１の内部から外部へ繰り出すことができるようになる。
【００７５】
また、本実施の形態の紙幣収納カセット３０によれば、上述したように、収納部に収納される紙幣の順番と当該紙幣の記番号とを紐付けて記憶する記憶部９０が設けられている。このことにより、紙幣精算装置１２と紙幣出納装置２２との間で紙幣収納カセット３０により紙幣の受け渡しを行う際に、紙幣精算装置１２から紙幣収納カセット３０に収納された紙幣の順番や記番号に係る情報を、紙幣出納装置２２の制御部２９０は紙幣収納カセット３０の記憶部９０から取得することができるようになる。
【００７６】
また、本実施の形態では、上述したように、紙幣精算装置１２や紙幣出納装置２２の制御部１９０、２９０は、これらの紙幣精算装置１２や紙幣出納装置２２に装着された紙幣収納カセット３０における使用される収納繰出機構の種類に基づいて、紙幣収納カセット３０から紙幣精算装置１２や紙幣出納装置２２の本体部分に送られた紙幣の順番を判定するようになっている。このことにより、紙幣収納カセット３０が紙幣出納装置２２に装着されたときに第２収納繰出機構４２が使用されるようになり、紙幣収納カセット３０に紙幣が収納される際に使用される第１収納繰出機構３２とは異なる場合でも、紙幣精算装置１２において紙幣収納カセット３０に紙幣が収納される順番と、紙幣出納装置２２において紙幣収納カセット３０から紙幣が繰り出される順番とを同じにすることによって、紙幣精算装置１２や紙幣出納装置２２の制御部１９０、２９０は、紙幣収納カセット３０から紙幣精算装置１２や紙幣出納装置２２の本体部分に送られた紙幣の順番を誤謬無く管理することができるようになる。
【００７７】
また、本実施の形態の紙幣出納装置２２では、カセット装着部２６０に装着された紙幣収納カセット３０を用いることにより紙幣の精査処理を行うことができるようになっている。紙幣出納装置２２において行われる紙幣の精査処理の詳細について以下に説明する。
【００７８】
紙幣出納装置２２において紙幣の精査処理を行うにあたり、最初に紙幣収納カセット３０をカセット装着部２６０に装着する。そして、複数の収納繰出部２５０のうちある収納繰出部２５０から紙幣が１枚ずつ繰り出され、繰り出された紙幣は搬送部２３０により紙幣収納カセット３０に送られ、当該紙幣収納カセット３０に収納される。この際に、収納繰出部２５０から搬送部２３０に繰り出された紙幣は、紙幣出納装置２２の上部ユニット２０２および下部ユニット２０４を連結する第１連結通路２３２を通って識別部２４０に送られ、この識別部２４０により識別が行われる。そして、識別部２４０により識別が行われた紙幣は紙幣出納装置２２の上部ユニット２０２および下部ユニット２０４を連結する第２連結通路２３４を通って紙幣収納カセット３０に送られ、この紙幣収納カセット３０に収納される。このように、紙幣出納装置２２の上部ユニット２０２および下部ユニット２０４を連結する連結通路として第１連結通路２３２および第２連結通路２３４からなる２つの連結通路を設けることにより、収納繰出部２５０から搬送部２３０に紙幣を次々と繰り出してこの繰り出された紙幣を搬送部２３０によって識別部２４０を経由させた後に次々に紙幣収納カセット３０に送ることができるようになる。
【００７９】
収納繰出部２５０から紙幣が全て繰り出されて紙幣収納カセット３０に収納されると、紙幣収納カセット３０から紙幣が１枚ずつ繰り出され、繰り出された紙幣は識別部２４０により識別された後に搬送部２３０により元の収納繰出部２５０に戻される。この際に、紙幣収納カセット３０から搬送部２３０に繰り出された紙幣は第２連結通路２３４を通って識別部２４０に送られ、識別部２４０により識別が行われる。そして、識別部２４０により識別が行われた紙幣は第１連結通路２３２を通って元の収納繰出部２５０に送られ、この収納繰出部２５０に収納される。ここで、収納繰出部２５０から紙幣収納カセット３０に紙幣が送られる際の識別部２４０による識別結果と、紙幣収納カセット３０から収納繰出部２５０に紙幣が戻される際の識別部２４０による識別結果とが一致する場合には、この収納繰出部２５０における紙幣の精査処理が正常終了する。一方、両者の識別結果が一致しない場合には、両者の識別結果が不一致であるという情報が制御部２９０から出力され、操作表示部２９５にこの情報が表示されたり、インターフェース２９７によりこの情報が上位端末等の外部装置に送信されたりする。このような処理が全ての収納繰出部２５０において各々の収納繰出部２５０毎に（すなわち、金種毎に）行われる。このようにして、各収納繰出部２５０に収納されている紙幣の在高を確認することができるようになる。このような紙幣の精査処理は、紙幣出納装置２２の制御部２９０が各収納繰出部２５０、カセット装着部２６０に装着された紙幣収納カセット３０、搬送部２３０等を制御することによって行われるようになっている。なお、カセット装着部２６０に装着された紙幣収納カセット３０を用いることにより紙幣出納装置２２において紙幣の精査処理を行うにあたり、収納繰出部２５０は紙幣を１枚ずつ一対のテープ間に挟み込んだ状態で当該テープを紙幣とともに巻き取るテープリール式のものではなく、紙幣を積み重ねて収納するスタッカ式のものであってもよい。
【００８０】
なお、本実施の形態による紙幣収納カセットの構成として、図７乃至図１１に示すような構成の紙幣収納カセット３０を用いる代わりに、図１２乃至図１４に示すような構成の紙幣収納カセット３０ａが用いられるようになっていてもよい。図１２乃至図１４に示す紙幣収納カセット３０ａでは、紙幣の精査処理が行われる際に搬送部２３０から紙幣収納カセット３０ａに送られて当該紙幣収納カセット３０ａに収納される紙幣の位置を規制するための規制部材７０およびこの規制部材７０を移動させる駆動部材７２が設けられている。ここで、本実施の形態では、紙幣出納装置２２の制御部２９０は、精査処理が行われる紙幣の金種に基づいて規制部材７０の位置を変えるよう駆動部材７２を制御するようになっている。より詳細には、紙幣出納装置２２の記憶部２９６には、紙幣の各々の金種に対応する規制部材７０の位置に係る情報を記憶するようになっており、制御部２９０は、記憶部２９６に記憶されている、精査処理が行われる紙幣の金種に対応する位置に規制部材７０を移動させるよう駆動部材７２を制御するようになっている。このような紙幣収納カセット３０ａの技術的特徴について以下に詳述する。
【００８１】
図１２乃至図１４に示すように、規制部材７０は、紙幣収納カセット３０ａにおける紙幣の収納空間を形成する側板から構成されており、紙幣収納カセット３０ａ内の紙幣の収納空間はこの側板としての規制部材７０により区画されるようになっている。図１２に示すように、規制部材７０は紙幣収納カセット３０ａにおける紙幣の投出入口４８に向かう方向および当該投出入口４８から遠ざかる方向に移動自在となっている。駆動部材７２は例えば電動アクチュエータ等から構成されており、当該駆動部材７２は規制部材７０を図１２における矢印方向に移動させることができるようになっている。なお、駆動部材７２は電動アクチュエータに限定されることはなく、パンタグラフ機構やラックピニオン機構等の他の駆動機構が用いられてもよい。ここで、本実施の形態では、駆動部材７２の動力は紙幣出納装置２２の本体部分側から供給されるようになっている。より詳細には、紙幣収納カセット３０ａの筐体３１の側面における上端部近傍および下端部近傍にはそれぞれ図７に示す紙幣収納カセット３０のコネクタ６６、６８と同様のコネクタが設けられており、紙幣収納カセット３０ａが紙幣出納装置２２のカセット装着部２６０に装着されてこの紙幣出納装置２２の本体コネクタと紙幣収納カセット３０ａのコネクタが接続されたときに、紙幣出納装置２２から紙幣収納カセット３０ａに電力が供給され、この供給された電力により駆動部材７２が駆動されるようになっている。
【００８２】
紙幣出納装置２２の記憶部２９６には、規制部材７０の位置として例えば２つまたは３つの位置が記憶されており、各々の位置には１または複数の紙幣の金種が紐付けられている。具体的には、図１３には規制部材７０の第１位置が示されており、図１４には規制部材７０の第２位置が示されている。記憶部２９６に記憶される規制部材７０の位置が２つである場合には、図１３に示すような第１位置および図１４に示すような第２位置が用いられる。また、記憶部２９６に記憶される規制部材７０の位置が３つである場合には、図１３に示すような第１位置、図１４に示すような第２位置、ならびに第１位置と第２位置との間に位置する第３位置が用いられる。また、紙幣の各金種がこれらの第１位置、第２位置、第３位置等のうちいずれかの位置に紐付けられる。具体的には、サイズが比較的大きな紙幣の金種については図１３に示すような第１位置が紐付けられ、サイズが比較的小さな紙幣の金種については図１４に示すような第２位置が紐付けられる。そして、規制部材７０は駆動部材７２によりこれらの第１位置、第２位置、第３位置等の各位置に移動させられる。具体的には、第１位置、第２位置、第３位置のうち、精査処理が行われる紙幣の金種に対応する位置に規制部材７０が移動するよう、駆動部材７２は制御部２９０により制御される。
【００８３】
また、図１２乃至図１４に示すように、上記の第１位置や第２位置等に位置する規制部材７０を検知する複数の検知センサ７１ａ、７１ｂが紙幣収納カセット３０ａの内部に設けられている。ここで、第１検知センサ７１ａは、規制部材７０が図１３に示すような第１位置に位置するときに当該規制部材７０を検知するようになっており、第２検知センサ７１ｂは、規制部材７０が図１４に示すような第２位置に位置するときに当該規制部材７０を検知するようになっている。また、第１位置と第２位置との間に位置する第３位置に規制部材７０が移動する場合には、この第３位置に位置する規制部材７０を検知する第３検知センサ（図示せず）が設置される。そして、本実施の形態では、各検知センサ７１ａ、７１ｂには、紙幣の１または複数の金種が関連付けられるようになっている。このことにより、制御部２９０は、複数の検知センサ７１ａ、７１ｂのうち精査処理が行われる紙幣の金種に対応する検知センサにより検知される位置に規制部材７０を移動させるよう駆動部材７２を制御するようになる。
【００８４】
次に、紙幣収納カセット３０ａがカセット装着部２６０に装着された場合において紙幣の精査処理が行われるときの動作について以下に説明する。複数の収納繰出部２５０のうちサイズが比較的大きな紙幣の金種に対応する収納繰出部２５０について精査処理が行われるときには、当該収納繰出部２５０から紙幣が繰り出される前に規制部材７０は駆動部材７２によって例えば図１３に示すような第１位置に移動させられる。その後、収納繰出部２５０から繰り出された紙幣が搬送部２３０により紙幣収納カセット３０ａに送られ、当該紙幣収納カセット３０ａに収納されるが、この際に、規制部材７０が投出入口４８から比較的遠い位置に移動していることにより、サイズが大きな紙幣も紙幣収納カセット３０ａに収納することができるようになる。このようなサイズが大きな紙幣を図１３において参照符号Ｐ１で示す。一方、複数の収納繰出部２５０のうちサイズが比較的小さな紙幣の金種に対応する収納繰出部２５０について精査処理が行われるときには、当該収納繰出部２５０から紙幣が繰り出される前に規制部材７０は駆動部材７２によって例えば図１４に示すような第２位置に移動させられる。その後、収納繰出部２５０から繰り出された紙幣が搬送部２３０により紙幣収納カセット３０ａに送られ、当該紙幣収納カセット３０ａに収納されるが、この際に、規制部材７０が投出入口４８から比較的近い位置に移動していることにより、サイズが小さな紙幣が紙幣収納カセット３０ａ内で集積されるときに当該紙幣の集積位置が図１４における左右方向にずれてしまうことを防止することができる。このようなサイズが小さな紙幣を図１４において参照符号Ｐ２で示す。
【００８５】
以上のような構成からなる本実施の形態の紙幣収納カセット３０ａおよびこのような紙幣収納カセット３０ａが用いられる紙幣出納装置２２によれば、紙幣収納カセット３０ａには、搬送部２３０から紙幣収納カセット３０ａに送られて当該紙幣収納カセット３０ａに収納される紙幣の位置を規制するための規制部材７０およびこの規制部材７０を移動させる駆動部材７２が設けられており、制御部２９０は、精査処理が行われる紙幣の金種に基づいて規制部材７０の位置を変えるよう駆動部材７２を制御するようになっている。このように、精査処理が行われる紙幣の金種に基づいて規制部材７０の位置を変えることにより、サイズが小さい金種の紙幣に対して精査処理が行われる場合でも当該紙幣が紙幣収納カセット３０ａ内で集積されるときに紙幣の集積位置が図１４における左右方向にずれてしまうことを防止することができる。このことにより、紙幣収納カセット３０ａに収納される紙幣が所定の向きに対して傾斜してしまうことを防止することができ、よって紙幣の詰まり（ジャム）等のトラブルが発生することを防止することができる。
【００８６】
また、本実施の形態の紙幣出納装置２２においては、上述したように、記憶部２９６には、紙幣の各々の金種に対応する規制部材７０の位置に係る情報が記憶されるようになっており、制御部２９０は、記憶部２９６に記憶されている、精査処理が行われる紙幣の金種に対応する位置に規制部材７０を移動させるよう駆動部材７２を制御するようになっている。また、規制部材７０の位置を検知する検知部として複数の検知センサ７１ａ、７１ｂが設けられており、各検知センサ７１ａ、７１ｂには紙幣の１または複数の金種が関連付けられている。そして、制御部２９０は、精査処理が行われる紙幣の金種に対応する検知センサ７１ａ、７１ｂにより検知される位置に規制部材７０を移動させるよう駆動部材７２を制御するようになっている。
【００８７】
また、本実施の形態の紙幣出納装置２２においては、上述したように、紙幣収納カセット３０ａに設けられた規制部材７０は、紙幣収納カセット３０ａにおける紙幣の収納空間を形成する側板を含むようになっている。
【００８８】
また、本実施の形態の紙幣出納装置２２においては、上述したように、紙幣収納カセット３０ａは紙幣出納装置２２の本体部分に着脱可能となっており、この紙幣収納カセット３０ａに設けられた駆動部材７２の動力は紙幣出納装置２２の本体部分側から供給されるようになっている。
【００８９】
なお、本実施の形態による紙幣収納カセットや紙幣出納装置、現金管理システムは、上述したような態様に限定されることはなく、様々な変更を加えることができる。
【００９０】
例えば、紙幣精算装置１２において、紙幣収納カセット３０をカセット装着部１６０に装着させる代わりに、あるいは紙幣収納カセット３０をカセット装着部１６０に装着させることに加えて、紙幣収納カセット３０を入金部１１０に装着することができるようになっていてもよい。この場合には、入金部１１０に装着された紙幣収納カセット３０から紙幣を搬送部１３０に繰り出すとともに、入金部１１０に装着された紙幣収納カセット３０に対して搬送部１３０から紙幣を送ることができるようになる。また、この場合には、紙幣収納カセット３０が入金部１１０に装着されたときにこの紙幣収納カセット３０の記憶部９０に対して情報を書き込んだり当該記憶部９０から情報を読み取ったりするためのリーダライタ（図示せず）が入金部１１０に設けられていてもよい。この場合には、紙幣収納カセット３０が入金部１１０に装着されたときに、記憶部９０に記憶されている情報を入金部１１０に設けられたリーダライタにより読み取ることができるようになる。また、入金部１１０に装着された紙幣収納カセット３０から紙幣が筐体１００の内部に繰り出されて各収納繰出部１５０に収納される際に、入金部１１０に設けられたリーダライタによって記憶部９０から取得された情報に基づいて紙幣収納カセット３０から繰り出された紙幣が各収納繰出部１５０に収納されるようになっていてもよい。また、入金部１１０に装着された紙幣収納カセット３０から筐体１００の内部に繰り出された紙幣が識別部１４０により識別されたときに、正常な紙幣ではないと識別された紙幣や搬送異常であると識別された紙幣はリジェクト紙幣として図示しない回収部に収納されるようになる。
【００９１】
また、紙幣の精査処理が行われるような紙幣出納装置２２において、図１２乃至図１４に示すような構成の紙幣収納カセット３０ａの代わりに、図１５に示すような構成の紙幣収納カセット３０ｂが用いられるようになっていてもよい。図１５に示す紙幣収納カセット３０ｂでは、紙幣収納カセット３０ａにおける紙幣の収納空間を形成する側板としての規制部材７０の代わりに、紙幣出納装置２２の搬送部２３０から紙幣収納カセット３０ｂに送られた紙幣が衝突するストッパからなる規制部材７４が用いられるようになっており、このストッパからなる規制部材７４に衝突した紙幣が紙幣収納カセット３０ｂにおける紙幣の収納空間に収納されるようになっている。このような紙幣収納カセット３０ｂの構成の詳細について図１５を用いて説明する。
【００９２】
図１５に示すように、紙幣出納装置２２の搬送部２３０から紙幣収納カセット３０ｂに送られた紙幣が衝突するストッパからなる規制部材７４は、紙幣収納カセット３０ｂにおける紙幣の投出入口４８に向かう方向および当該投出入口４８から遠ざかる方向に移動自在となっている。また、図１５に示すように、紙幣収納カセット３０ｂには規制部材７４を移動させる駆動部材７６が設けられている。駆動部材７６は例えば電動アクチュエータ等から構成されており、当該駆動部材７６は規制部材７４を図１５における矢印方向に移動させることができるようになっている。ここで、図１５に示す紙幣収納カセット３０ｂでは、図１２乃至図１４に示す紙幣収納カセット３０ａと同様に、駆動部材７６の動力は紙幣出納装置２２の本体部分側から供給されるようになっている。より詳細には、紙幣収納カセット３０ｂの筐体３１の側面における上端部近傍および下端部近傍にはそれぞれ図７に示す紙幣収納カセット３０のコネクタ６６、６８と同様のコネクタが設けられており、紙幣収納カセット３０ｂが紙幣出納装置２２のカセット装着部２６０に装着されてこの紙幣出納装置２２の本体コネクタと紙幣収納カセット３０ｂのコネクタが接続されたときに、紙幣出納装置２２から紙幣収納カセット３０ｂに電力が供給され、この供給された電力により駆動部材７６が駆動されるようになっている。
【００９３】
紙幣出納装置２２の記憶部２９６には、規制部材７４の位置として例えば２つまたは３つの位置が記憶されており、各々の位置には１または複数の紙幣の金種が紐付けられている。具体的には、サイズが比較的大きな紙幣の金種については規制部材７４の位置として紙幣の投出入口４８から比較的遠い位置が紐付けられ、サイズが比較的小さな紙幣の金種については規制部材７４の位置として紙幣の投出入口４８から比較的近い位置が紐付けられる。そして、規制部材７４は駆動部材７６によりこれらの複数の位置のうちいずれかの位置に移動させられる。具体的には、記憶部２９６に記憶される複数の位置のうち、精査処理が行われる紙幣の金種に対応する位置に規制部材７４が移動するよう、駆動部材７６は制御部２９０により制御される。
【００９４】
また、上記の複数の位置の各々に位置する規制部材７４を検知する複数の検知センサ（図示すせず）が紙幣収納カセット３０ｂの内部に設けられている。そして、各検知センサには、紙幣の１または複数の金種が関連付けられるようになっている。このことにより、制御部２９０は、複数の検知センサのうち精査処理が行われる紙幣の金種に対応する検知センサにより検知される位置に規制部材７４を移動させるよう駆動部材７６を制御するようになる。
【００９５】
次に、紙幣収納カセット３０ｂがカセット装着部２６０に装着された場合において紙幣の精査処理が行われるときの動作について以下に説明する。複数の収納繰出部２５０のうちサイズが比較的大きな紙幣の金種に対応する収納繰出部２５０について精査処理が行われるときには、当該収納繰出部２５０から紙幣が繰り出される前にストッパとしての規制部材７４は駆動部材７６によって投出入口４８から比較的遠い位置に移動させられる。その後、収納繰出部２５０から繰り出された紙幣が搬送部２３０により紙幣収納カセット３０ｂに送られ、当該紙幣収納カセット３０ｂに収納されるが、この際に、規制部材７４が投出入口４８から比較的遠い位置に移動していることにより、サイズが大きな紙幣も紙幣収納カセット３０ｂに収納することができるようになる。一方、複数の収納繰出部２５０のうちサイズが比較的小さな紙幣の金種に対応する収納繰出部２５０について精査処理が行われるときには、当該収納繰出部２５０から紙幣が繰り出される前にストッパとしての規制部材７４は駆動部材７６によって投出入口４８から比較的近い位置に移動させられる。その後、収納繰出部２５０から繰り出された紙幣が搬送部２３０により紙幣収納カセット３０ｂに送られ、当該紙幣収納カセット３０ｂに収納されるが、この際に、規制部材７４が投出入口４８から比較的近い位置に移動していることにより、サイズが小さな紙幣が紙幣収納カセット３０ｂ内で集積されるときに当該紙幣の集積位置が図１５における左右方向にずれてしまうことを防止することができる。
【００９６】
このように、図１５に示すような紙幣収納カセット３０ｂが用いられる紙幣出納装置２２によれば、紙幣収納カセット３０ｂには、搬送部２３０から紙幣収納カセット３０ｂに送られて当該紙幣収納カセット３０ｂに収納される紙幣の位置を規制するためのストッパからなる規制部材７４およびこの規制部材７４を移動させる駆動部材７６が設けられており、制御部２９０は、精査処理が行われる紙幣の金種に基づいて規制部材７４の位置を変えるよう駆動部材７６を制御するようになっている。このように、精査処理が行われる紙幣の金種に基づいてストッパからなる規制部材７４の位置を変えることにより、サイズが小さい金種の紙幣に対して精査処理が行われる場合でも当該紙幣が紙幣収納カセット３０ｂ内で集積されるときに紙幣の集積位置が図１５における左右方向にずれてしまうことを防止することができる。このことにより、紙幣収納カセット３０ｂに収納される紙幣が所定の向きに対して傾斜してしまうことを防止することができ、よって紙幣の詰まり（ジャム）等のトラブルが発生することを防止することができる。
【００９７】
また、本発明に係る紙幣収納カセットとして、一対の平板部材のうち案内板として用いられる平板部材が、紙幣精算装置１２や紙幣出納装置２２の本体部分から送られた紙幣を整列させる集積レバーとして機能するような紙幣収納カセットが用いられてもよい。このような紙幣収納カセットの構成について図１６を用いて説明する。
【００９８】
図１６に示すような紙幣収納カセット３０ｃでは、一対の平板部材のうち案内板として用いられる平板部材（図１６において参照符号５０ｐで表示）は、投出入口４８から筐体３１の内部へ紙幣を送る方向（すなわち、図１６における左右方向）に対して斜め下方に傾斜することができるようになっている。このことにより、紙幣収納カセット３０ｃにおいて、投出入口４８から筐体３１の内部へ送られた紙幣の先端部分が、当該紙幣の送り方向に対して傾斜している平板部材５０ｐの下面に接触することにより当該平板部材５０ｐの下面に沿って案内され、平板部材５２に既に集積されている紙幣の上に整列状態で集積されるようになる。このように、一対の平板部材のうち案内板として機能する平板部材５０ｐが、投出入口４８から筐体３１の内部へ紙幣を送る方向に対して斜め下方に傾斜することにより、投出入口４８から筐体３１の内部へ送られた紙幣を平板部材５０ｐによってスムーズに案内して平板部材５２上に集積させることができるようになる。なお、図１６に示す紙幣収納カセット３０ｃが上下反転して用いられる場合には、平板部材５０ｐは図１６における左右方向に延びる状態に維持されることにより、紙幣が集積される載置板として用いられるようになる。
【００９９】
また、一対の平板部材のうち案内板として用いられる平板部材が集積レバーとして機能するような紙幣収納カセットとして、図１７乃至図１９に示すような構成のものが用いられてもよい。図１７乃至図１９に示す紙幣収納カセット３０ｄでは、一対の平板部材のうち案内板として機能する平板部材５１は２つの部材５１ａ、５１ｂに分割されており、各部材５１ａ、５１ｂは互いに独立して、図１７における左右方向に対して斜め下方に傾斜することができるようになっている。このような紙幣収納カセット３０ｄに紙幣を収納させるときの動作について図１８および図１９を用いて説明する。
【０１００】
図１７に示す紙幣収納カセット３０ｄにおいて投出入口４８から筐体３１の内部へ紙幣が送られると、まず、２つの部材５１ａ、５１ｂのうち投出入口４８から遠い側の部材５１ａが図１７における左右方向に対して斜め下方に傾斜する（図１８参照）。このことにより、投出入口４８から筐体３１の内部へ送られた紙幣の先端部分が、当該紙幣の送り方向に対して傾斜している部材５１ａの下面に接触することにより当該部材５１ａの下面に沿って案内される。その後、２つの部材５１ａ、５１ｂのうち投出入口４８に近い側の部材５１ｂが図１７における左右方向に対して斜め下方に傾斜する（図１９参照）。このことにより、投出入口４８から筐体３１の内部へ送られた紙幣の表面が部材５１ｂにより下方に押されて当該紙幣は平板部材５２に既に集積されている紙幣の上に整列状態で集積されるようになる。このように、一対の平板部材のうち案内板として機能する平板部材５１の各部材５１ａ、５１ｂが、投出入口４８から筐体３１の内部へ紙幣を送る方向に対してそれぞれ斜め下方に傾斜することにより、投出入口４８から筐体３１の内部へ送られた紙幣を平板部材５１によってスムーズに案内して平板部材５２上に集積させることができるようになる。なお、図１７等に示す紙幣収納カセット３０ｄが上下反転して用いられる場合には、平板部材５１の各部材５１ａ、５１ｂはそれぞれ図１７における左右方向に延びる状態に維持されることにより、紙幣が集積される載置板として用いられるようになる。
【０１０１】
また、更に別の構成の紙幣収納カセットとして、図２０に示すような、４つの平板部材８０、８２、８４、８６が筐体３１内に設けられた紙幣収納カセット３０ｅが用いられてもよい。図２０に示すような紙幣収納カセット３０ｅにおいて、各平板部材８０、８２、８４、８６は互いに独立して図２０における上下方向に移動可能となっており、投出入口３８により筐体３１の内部に投入された紙幣は一対の平板部材８４、８６の間に挟まれた状態で筐体３１内に収納されるとともに投出入口４８により筐体３１の内部に投入された紙幣は一対の平板部材８０、８２の間に挟まれた状態で筐体３１内に収納されるようになっている。このような紙幣収納カセット３０ｅによれば、紙幣精算装置１２および紙幣出納装置２２の各装置から紙幣の回収処理を行う際に、１つの紙幣収納カセット３０ｅにより紙幣精算装置１２および紙幣出納装置２２の両方から紙幣を回収することができる。具体的には、紙幣精算装置１２から紙幣を回収する場合には、紙幣収納カセット３０ｅを図２０に示す状態から上下反転させて紙幣精算装置１２のカセット装着部１６０に装着する。そして、紙幣精算装置１２において各収納繰出部１５０から繰り出された紙幣が搬送部１３０により紙幣収納カセット３０ｅに送られると、投出入口３８を介して筐体３１の内部に送られた当該紙幣は第１収納繰出機構３２の各循環ベルト３４により一対の平板部材８４、８６の間に送られてこれらの一対の平板部材８４、８６の間に収納されるようになる。また、紙幣出納装置２２から紙幣を回収する場合には、紙幣収納カセット３０ｅを図２０に示す状態で紙幣出納装置２２のカセット装着部２６０に装着する。そして、紙幣出納装置２２において各収納繰出部２５０から繰り出された紙幣が搬送部２３０により紙幣収納カセット３０ｅに送られると、投出入口４８を介して筐体３１の内部に送られた当該紙幣は第２収納繰出機構４２のフィードローラ４５により一対の平板部材８０、８２の間に送られてこれらの一対の平板部材８０、８２の間に収納されるようになる。
【０１０２】
紙幣精算装置１２において紙幣収納カセット３０ｅに紙幣が収納された後、当該紙幣収納カセット３０ｅが紙幣精算装置１２のカセット装着部１６０から取り外される際に、平板部材８４、８６は、紙幣を間に挟んだ状態でそれぞれ投出入口３８から離間する方向に移動する。また、紙幣出納装置２２において紙幣収納カセット３０ｅに紙幣が収納された後、当該紙幣収納カセット３０ｅが紙幣出納装置２２のカセット装着部２６０から取り外される際に、平板部材８０、８２は、紙幣を間に挟んだ状態でそれぞれ投出入口４８から離間する方向に移動する。ここで、投出入口３８、４８から離間する方向に移動した平板部材８２、８４が互いに重なるようになっていてもよい。このことにより、紙幣精算装置１２や紙幣出納装置２２から取り出された紙幣収納カセット３０ｅの持ち運びが行われる際に、当該紙幣収納カセット３０ｅに収納されている紙幣が各投出入口３８、４８から抜き取られることを防止することができるようになり、紙幣収納カセット３０ｅの防盗性を向上させることができる。
【０１０３】
また、本実施の形態の紙幣出納装置２２において精査処理が行われる際に、各収納繰出部２５０から紙幣収納カセット３０ａ等に紙幣が送られた後、この紙幣収納カセット３０ａ等から各収納繰出部２５０に紙幣が戻される代わりに、ある収納繰出部２５０から別の収納繰出部２５０に紙幣が送られた後、この収納繰出部２５０から元の収納繰出部２５０に紙幣が戻されるようになっていてもよい。この場合、精査処理が行われる際に紙幣が一時的に保留される収納繰出部２５０において、搬送部２３０から当該収納繰出部２５０に送られてこの収納繰出部２５０に収納される紙幣の位置を規制するための規制部材およびこの規制部材を移動させる駆動部材がそれぞれ設けられていてもよい。この場合には、制御部２９０は、精査処理が行われる紙幣の金種に基づいて、収納繰出部２５０に設けられた規制部材の位置を変えるよう駆動部材を制御するようになる。より詳細には、図１２乃至図１４に示す紙幣収納カセット３０ａにおける規制部材７０および駆動部材７２と同様の構成の規制部材および駆動部材が収納繰出部２５０に設けられていてもよい。あるいは、図１５に示す紙幣収納カセット３０ｂにおける規制部材７４および駆動部材７６と同様の構成の規制部材および駆動部材が収納繰出部２５０に設けられていてもよい。このように、精査処理が行われる紙幣の金種に基づいて、精査処理が行われる際に紙幣が一時的に保留されるような収納繰出部２５０に設けられる規制部材の位置を変える場合には、サイズが小さい金種の紙幣に対して精査処理が行われる場合でも当該紙幣が収納繰出部２５０内で集積されるときに紙幣の集積位置がずれてしまうことを防止することができる。このことにより、収納繰出部２５０に収納される紙幣が所定の向きに対して傾斜してしまうことを防止することができ、よって紙幣の詰まり（ジャム）等のトラブルが発生することを防止することができる。
【０１０４】
また、本実施の形態の紙幣出納装置２２において、精査処理専用の収納繰出部が設けられており、精査処理が行われる際に、各収納繰出部２５０から精査処理専用の収納繰出部に紙幣が送られた後、この精査処理専用の収納繰出部から各収納繰出部２５０に紙幣が戻されるようになっていてもよい。この場合にも、精査処理が行われる際に紙幣が一時的に保留される精査処理専用の収納繰出部において、搬送部２３０から当該収納繰出部に送られてこの収納繰出部に収納される紙幣の位置を規制するための規制部材およびこの規制部材を移動させる駆動部材がそれぞれ設けられていてもよい。この場合には、制御部２９０は、精査処理が行われる紙幣の金種に基づいて、精査処理専用の収納繰出部に設けられた規制部材の位置を変えるよう駆動部材を制御するようになる。
【０１０５】
また、本実施の形態の紙幣出納装置２２において精査処理が行われる際に、複数の収納繰出部２５０のうちある一つの収納繰出部２５０や精査処理専用の収納繰出部に紙幣が一時的に保留される場合には、当該収納繰出部において、搬送部２３０から送られた紙幣の側縁部を叩くことにより当該紙幣を幅方向における中央位置に揃えるような幅位置揃え機構を設けるようにしてもよい。この場合には、サイズが小さい金種の紙幣に対して精査処理が行われる場合でも当該紙幣が収納繰出部２５０内で集積されるときに紙幣の集積位置が幅方向にずれてしまうことを防止することができる。
【符号の説明】
【０１０６】
１      現金管理システム
１０    チェックアウトカウンター
１１    現金精算装置
１２    紙幣精算装置
１３    硬貨精算装置
２０    バックオフィス
２１    現金出納装置
２２    紙幣出納装置
２５    現金管理装置
２８    ＰＯＳ管理装置
３０、３０ａ、３０ｂ、３０ｃ、３０ｄ、３０ｅ  紙幣収納カセット
３１    筐体
３１ａ、３１ｂ  取っ手
３２    第１収納繰出機構
３４    循環ベルト
３６    逆転ローラ
３８    投出入口
４２    第２収納繰出機構
４４    キッカローラ
４５    フィードローラ
４６    逆転ローラ
４８    投出入口
５０    平板部材
５０ａ  開口
５０ｐ  平板部材
５１    平板部材
５１ａ、５１ｂ  部材
５２    平板部材
５２ａ  開口
６０    残留検知センサ
６０ａ  発光素子
６０ｂ  受光素子
６２    残留検知センサ
６２ａ  発光素子
６２ｂ  受光素子
６４    紙幣検知センサ
６４ａ  発光素子
６４ｂ  受光素子
６４ｃ  光反射用プリズム
６６、６８  コネクタ
７０    規制部材
７１ａ  第１検知センサ
７１ｂ  第２検知センサ
７２    駆動部材
７４    規制部材
７６    駆動部材
８０、８２、８４、８６  平板部材
９０    記憶部
１００  筐体
１０１  前カバー
１１０  入金部
１１１  入金部カバー
１２０  出金部
１３０  搬送部
１４０  識別部
１５０  収納繰出部
１６０  カセット装着部
１６２  リーダライタ
１７０  筐体
１７１  前カバー
１７２  入金部
１７４  出金部
１９０  制御部
１９５  操作表示部
１９６  記憶部
１９７  インターフェース
２００  筐体
２０２  上部ユニット
２０４  下部ユニット
２１０  入金部
２２０  出金部
２３０  搬送部
２３２  第１連結通路
２３４  第１連結通路
２４０  識別部
２４５  一時保留部
２５０  収納繰出部
２６０  カセット装着部
２６２  リーダライタ
２９０  制御部
２９５  操作表示部
２９６  記憶部
２９７  インターフェース
【図１】
2016162434.tif 000003
【図２】
2016162434.tif 000004
【図３】
2016162434.tif 000005
【図４】
2016162434.tif 000006
【図５】
2016162434.tif 000007
【図６】
2016162434.tif 000008
【図７】
2016162434.tif 000009
【図８】
2016162434.tif 000010
【図９】
2016162434.tif 000011
【図１０】
2016162434.tif 000012
【図１１】
2016162434.tif 000013
【図１２】
2016162434.tif 000014
【図１３】
2016162434.tif 000015
【図１４】
2016162434.tif 000016
【図１５】
2016162434.tif 000017
【図１６】
2016162434.tif 000018
【図１７】
2016162434.tif 000019
【図１８】
2016162434.tif 000020
【図１９】
2016162434.tif 000021
【図２０】
2016162434.tif 000022